(57)【要約】  本技術は、生態系の活用を支援することができるようにする情報処理装置、情報処理方法、及び、プログラムに関する。種と、種以外の他の情報とが関連付けられたデータベースから得られる、他の情報を尺度とする種どうしの関係を表す、ノードとリンクで構成される関係グラフが取得され、その関係グラフが表示される。本技術は、例えば、生態系の活用を支援する情報を提供する場合に適用できる。
2016039174.tif 000002
【特許請求の範囲】
【請求項１】
種と、前記種以外の他の情報とが関連付けられたデータベースから得られる、前記他の情報を尺度とする前記種どうしの関係を表す、ノードとリンクで構成される関係グラフを表示させる表示制御を行うグラフ表示制御部を備える
情報処理装置。
【請求項２】
前記関係グラフは、前記データベースから求められる、前記種と前記他の情報とのバイパータイトグラフを用いて生成される
請求項１に記載の情報処理装置。
【請求項３】
前記関係グラフは、前記種と、前記種に関連付けられた前記他の情報との関係をも表す
請求項２に記載の情報処理装置。
【請求項４】
ユーザの操作に応じて、複数のデータベースの中から、前記関係グラフの生成に用いるデータベースを選択する
請求項３に記載の情報処理装置。
【請求項５】
前記関係グラフの生成に用いるデータベースに応じて、前記関係グラフの背景色、前記ノードの形状、及び、前記ノードの色のうちの１以上が変更される
請求項４に記載の情報処理装置。
【請求項６】
前記関係グラフの生成に用いるデータベースに応じて、異なる音を出力させる
請求項４に記載の情報処理装置。
【請求項７】
前記データベースは、植生と前記植生以外の他の情報とが関連付けられたデータベースである
請求項４に記載の情報処理装置。
【請求項８】
前記データベースは、前記植生と前記植生が観測された圃場とが関連付けられたデータベース、又は、前記植生と前記植生を用いる料理レシピとが関連付けられたデータベースである
請求項７に記載の情報処理装置。
【請求項９】
前記データベースは、センサによるセンシングで得られるセンサデータを用いたボロノイ分割により得られるデータベースである
請求項４に記載の情報処理装置。
【請求項１０】
前記関係グラフは、
前記種と第１の他の情報とが関連付けられた第１のデータベースと、前記種と第２の他の情報とが関連付けられた第２のデータベースとから得られる、前記第１の他の情報及び前記第２の他の情報を尺度とする前記種どうしの関係と、
前記第１のデータベースにおいて関連付けられた前記種と前記第１の他の情報との関係と、
前記第２のデータベースにおいて関連付けられた前記種と前記第２の他の情報との関係と
を表す
請求項４に記載の情報処理装置。
【請求項１１】
ユーザに関するユーザプロファイルに基づいて、前記関係グラフが変更される
請求項４に記載の情報処理装置。
【請求項１２】
ユーザが種に携わっている経験年数に基づいて、前記関係グラフが変更される
請求項１１に記載の情報処理装置。
【請求項１３】
前記種に関するコンテンツプロファイルに基づいて、前記関係グラフが変更される
請求項４に記載の情報処理装置。
【請求項１４】
前記種の知名度又は希少性に基づいて、前記関係グラフが変更される
請求項１３に記載の情報処理装置。
【請求項１５】
ユーザに関するユーザプロファイルに基づいて、前記種どうしの関係が補正される
請求項４に記載の情報処理装置。
【請求項１６】
ユーザが種に携わっている経験年数に基づいて、前記種どうしの関係が補正される
請求項１５に記載の情報処理装置。
【請求項１７】
前記種に関するコンテンツプロファイルに基づいて、前記種どうしの関係が補正される
請求項４に記載の情報処理装置。
【請求項１８】
前記種の知名度又は希少性に基づいて、前記種どうしの関係が補正される
請求項１７に記載の情報処理装置。
【請求項１９】
前記グラフ表示制御部は、注目している前記種である注目種と他の種との関係に基づいて、前記他の種をランキング付けしたランキングリストを、さらに表示させる
請求項４に記載の情報処理装置。
【請求項２０】
種と、前記種以外の他の情報とが関連付けられたデータベースから得られる、前記他の情報を尺度とする前記種どうしの関係を表す、ノードとリンクで構成される関係グラフを表示させる表示制御を行う
情報処理方法。
【請求項２１】
種と、前記種以外の他の情報とが関連付けられたデータベースから得られる、前記他の情報を尺度とする前記種どうしの関係を表す、ノードとリンクで構成される関係グラフを表示させる表示制御を行うグラフ表示制御部
として、コンピュータを機能させるためのプログラム。
【発明の詳細な説明】
【技術分野】
【０００１】
本技術は、情報処理装置、情報処理方法、及び、プログラムに関し、特に、例えば、生態系の活用を支援することができるようにする情報処理装置、情報処理方法、及び、プログラムに関する。
【背景技術】
【０００２】
現在、様々な人間活動によって、地球の生態系が破壊され、近い将来、自然資源の採取等が困難になることが予想されている。そこで、最近では、生態系の活用が注目されている。【０００３】
生態系（の）活用としては、例えば、農作物に対する害虫の駆除に、農薬を使わずに、テントウムシを活用する方法や生態系の共生効果と有用種の活用に基づく協生農法(synecoculture)等がある。【０００４】
ここで、協生農法とは、無耕起、無施肥、無農薬で種と苗以外は一切持ち込まない制約条件の上で、植生配置により自然状態を超える種多様性と、混生密生からの間引き収穫を基本とした、高収量をトータルで実現する農法である。【０００５】
協生農法については、作業者が最適な植生の組み合わせを決定することができるように支援を行う装置が提案されている（例えば、特許文献１を参照）。
【先行技術文献】
【特許文献】
【０００６】
【特許文献１】国際公開第2014/007109号
【発明の概要】
【発明が解決しようとする課題】
【０００７】
生態系活用については、未だ、十分に実践されているとは言い難い。【０００８】
本技術は、このような状況に鑑みてなされたものであり、生態系活用を支援することができるようにするものである。
【課題を解決するための手段】
【０００９】
本技術の情報処理装置、又は、プログラムは、種と、前記種以外の他の情報とが関連付けられたデータベースから得られる、前記他の情報を尺度とする前記種どうしの関係を表す、ノードとリンクで構成される関係グラフを表示させる表示制御を行うグラフ表示制御部を備える情報処理装置、又は、そのような情報処理装置として、コンピュータを機能させるためのプログラムである。【００１０】
本技術の情報処理方法は、種と、前記種以外の他の情報とが関連付けられたデータベースから得られる、前記他の情報を尺度とする前記種どうしの関係を表す、ノードとリンクで構成される関係グラフを表示させる表示制御を行う情報処理方法である。【００１１】
本技術の情報処理装置、情報処理方法、及び、プログラムにおいては、種と、前記種以外の他の情報とが関連付けられたデータベースから得られる、前記他の情報を尺度とする前記種どうしの関係を表す、ノードとリンクで構成される関係グラフが表示される。【００１２】
なお、情報処理装置は、独立した装置であっても良いし、１つの装置を構成している内部ブロックであっても良い。【００１３】
また、プログラムは、伝送媒体を介して伝送することにより、又は、記録媒体に記録して、提供することができる。
【発明の効果】
【００１４】
本技術によれば、生態系活用を支援することができる。【００１５】
なお、ここに記載された効果は必ずしも限定されるものではなく、本開示中に記載されたいずれかの効果であってもよい。
【図面の簡単な説明】
【００１６】
【図１】本技術を適用した生態系活用システムの一実施の形態の構成例を示すブロック図である。
【図２】ネットワーク１０の構成例を示す図である。
【図３】端末１２の構成例を示すブロック図である。
【図４】サーバ１３の機能的構成例を示すブロック図である。
【図５】協生農法DBの構成例を示す図である。
【図６】種まきDBの構成例を示す図である。
【図７】植生DBの構成例を示す図である。
【図８】収量DBの構成例を示す図である。
【図９】管理記録DBの構成例を示す図である。
【図１０】文字によるフェノロジーDBの構成例を示す図である。
【図１１】画像によるフェノロジーDBの構成例を示す図である。
【図１２】昆虫動物叢DB構成例を示す図である。
【図１３】気象DBの構成例を示す図である。
【図１４】アレロパシーDBの構成例を示す図である。
【図１５】輪作適性DBの構成例を示す図である。
【図１６】植生設計の支援の処理の例を説明するフローチャートである。
【図１７】共生的アレロパシーの出力例を示す図である。
【図１８】ARタグの表示例を示す模式的な図である。
【図１９】協生農法ページとしてのwebページのサイトマップの例を示す図である。
【図２０】協生農法ページで提供される地図上の畑の分布の表示例を示す図である。
【図２１】ユーザが圃場（畑）の情報を参照する場合の処理の例を説明するフローチャートである。
【図２２】写真のアップロード処理の例を説明するフローチャートである。
【図２３】キーイベントの登録の処理の例を説明するフローチャートである。
【図２４】サーバ１３のグラフ表示制御部７２（又は端末１２の取得部５１）で生成される関係グラフを説明する図である。
【図２５】植生／圃場DBのバイパータイトグラフから求められる関係スコアの例を示す図である。
【図２６】グラフ表示画面の例を示す図である。
【図２７】グラフ表示画面の例を示す図である。
【図２８】グラフ表示画面の例を示す図である。
【図２９】関係スコアの例を示す図である。
【図３０】グラフ表示画面の例を示す図である。
【図３１】圃場#3のノードを注目ノードとした関係グラフが表示されたグラフ表示画面の例を示す図である。
【図３２】植生／レシピDBから生成されるバイパータイトグラフの例を示す図である。
【図３３】関係スコアの例を示す図である。
【図３４】グラフ表示画面の例を示す図である。
【図３５】2個のDBから生成されるバイパータイトグラフの例を示す図である。
【図３６】関係グラフを生成するのに用いるDBの例を示す図である。
【図３７】グラフ表示画面の構成例を示す図である。
【図３８】Gephiによるグラフ表示画面の例を示す図である。
【図３９】Gephiによるグラフ表示画面の例を示す図である。
【図４０】Gephiによるグラフ表示画面の他の例を示す図である。
【図４１】Gephiによるグラフ表示画面のさらに他の例を示す図である。
【図４２】グラフ表示画面を表示する処理の例を説明するフローチャートである。
【図４３】センサでのセンシングで得られるセンサデータの例を示す図である。
【図４４】アメダスデータを用いたボロノイ分割により得られるボロノイ図の例を示す図である。
【図４５】ボロノイ図の例を示す図である。
【図４６】ボロノイ図に基づく種のニッチの推定の第１の例を説明する図である。
【図４７】ボロノイ図に基づく種のニッチの推定の第２の例を説明する図である。
【図４８】ボロノイ図に基づく種どうしの共起の推定の例を示す図である。
【図４９】ボロノイ図の生成と解析の処理の例を説明するフローチャートである。
【図５０】植生分布を表す植生分布画面の表示例を示す図である。
【図５１】ユーザの移動軌跡が表示された植生分布画面の表示例を示す図である。
【図５２】投稿情報が反映された植生分布画面の表示例を示す図である。
【図５３】投稿情報が反映された植生分布画面の他の表示例を示す図である。
【図５４】ユーザが投稿した投稿情報を、植生分布と関連付ける処理の例を説明するフローチャートである。
【図５５】自己投稿情報が反映された植生分布画面を表示する処理の例を説明するフローチャートである。
【図５６】他者投稿情報リストが反映された植生分布画面を表示する処理の例を説明するフローチャートである。
【図５７】サーバ１３の評価部７３による活用地域の生態系の評価を説明する図である。
【図５８】観測値の信頼度の例を示す図である。
【図５９】観測値の信頼度の例を示す図である。
【図６０】観測値の信頼度の例を示す図である。
【図６１】ユーザが生態系を観測して得られる観測値の信頼度に応じて、生態系の観測についてのアドバイスを生成し、ユーザに提示する処理の例を説明するフローチャートである。
【発明を実施するための形態】
【００１７】
＜生態系活用システムの一実施の形態＞
【００１８】
図１は、本技術を適用した生態系活用システムの一実施の形態の構成例を示すブロック図である。
【００１９】
図１において、生態系活用システムは、ネットワーク１０、1個以上のセンサ装置１１、1個以上の端末１２、及び、1個以上のサーバ１３で構成される。生態系活用システムは、生態系で観測される様々な情報を収集し、その情報に基づいて、生態系活用を図るための情報を得て、ユーザに提供する。
【００２０】
センサ装置１１、端末１２、及び、サーバ１３は、ネットワーク１０に、有線又は無線で接続され、通信を行うことができるようになっている。
【００２１】
センサ装置１１は、各種の物理量をセンシングするセンサと、そのセンサによるセンシングの結果得られるセンサデータ（センシングされた物理量を表すデータ）を送信する通信機能とを有する。さらに、センサ装置１１は、例えば、GPS(Global Positioning System)等を利用した、センサ装置１１自体の位置を検出する位置検出機能を、必要に応じて含む。
【００２２】
センサ装置１１は、センサによって、物理量をセンシングする。さらに、センサ装置１１は、通信機能によって、センシングにより得られたセンサデータを、ネットワーク１０を介して、サーバ１３に送信する。センサデータは、必要に応じて、センサ装置１１の位置検出機能により検出されたセンサ装置１１の位置を表す位置情報とともに、センサ装置１１からサーバ１３に送信される。
【００２３】
センサ装置１１が有するセンサとしては、例えば、光をセンシングすることにより画像を撮影するセンサ（イメージセンサ）等の、光を含む電磁波をセンシングするセンサや、音をセンシングするセンサ（マイク）を採用することができる。さらに、センサ装置１１が有するセンサとしては、例えば、温度や、湿度、湿度、地磁気、気圧、におい等の各種の環境の情報としての物理量をセンシングするセンサを採用することができる。
【００２４】
センサ装置１１は、生態系活用を図る地域（以下、活用地域ともいう）の山林や、川、海、湖、圃場（農園）等の生態系の観測（センシング）を行うべき場所に設置される。センサ装置１１の設置は、人手によって所定の位置に行うことができる。また、センサ装置１１の設置は、その他、例えば、飛行機や、船舶、自動車等で移動しながら、センサ装置１１を散布することによって行うことができる。
【００２５】
センサ装置１１によれば、活用地域の様々な場所において、例えば、植物や虫等の画像、風の音や、虫の声、葉がこすれる音等の音響、気温や土の温度、湿度、地磁気等がセンシングされ、そのセンシングにより得られたセンサデータが、ネットワーク１０を介して、サーバ１３に送信される。
【００２６】
ここで、活用地域は、例えば、市町村や、その一部であっても良いし、都道府県や、日本全国、世界各国であっても良い。また、活用地域は、例えば、北海道と九州や、日本と米国等のように、離れた地域であっても良い。
【００２７】
端末１２は、生態系活用の支援を受けるユーザや、生態系活用に協力するユーザが使用する情報処理装置である。端末１２としては、例えば、スマートフォンや、タブレット、ウェアブルな端末等の携帯可能な端末を採用することができる。また、端末１２としては、例えば、ノートPC(Personal Computer)やデスクトップPC、その他、通信機能と、ユーザに対する情報の入出力機能（インターフェース）とを有する装置を採用することができる。
【００２８】
ユーザは、端末１２を使用して、活用地域の様々な場所において観測を行い、その観測結果を表す観測値を、ネットワーク１０を介して、サーバ１３に送信する。
【００２９】
ここで、端末１２からサーバ１３に送信する観測値としては、例えば、ある場所で、ある植生や虫、その他の生物の種が観測されたことや、種の画像、ある作物が収穫されたこととその作物の収穫量、白菜がロゼット化したこと、その他の、ユーザが生態系を観測して得られるあらゆる情報（ユーザが端末１２を操作して得られる画像や音響等を含む）を採用することができる。
【００３０】
端末１２は、観測値以外の他のデータを、ネットワーク１０を介して、サーバ１３に送信する。また、端末１２は、サーバ１３から、ネットワーク１０を介して、必要なデータを受信する。例えば、端末１２は、サーバ１３から、生態系活用を図るための情報を受信（取得）し、ユーザに提示する。ユーザへの情報の提示は、例えば、画像の表示や、音声の出力等によって行われる。
【００３１】
サーバ１３は、生態系活用を支援する支援者が管理する情報処理装置である。
【００３２】
サーバ１３は、センサ装置１１からネットワーク１０を介して送信されてくるセンサデータや、端末１２からネットワーク１０を介して送信されてくる観測値を受信して登録する。さらに、サーバ１３は、センサ装置１１からのセンサデータ（必要に応じて、センサ装置１１の位置情報を含む）や、端末１２からの観測値、その他の必要な情報に基づき、生態系活用を図るための情報を生成し、ネットワーク１０を介して、端末１２に送信する。
【００３３】
端末１２は、サーバ１３からネットワーク１０を介して送信されてくる情報を受信し、画像として表示することや、音声として出力することで、サーバ１３からの情報を、ユーザに提示する。
【００３４】
なお、以下説明する端末１２の処理や、サーバ１３の処理は、可能な範囲で、端末１２とサーバ１３とで分担して行うことができる。また、サーバ１３が行う処理は、複数のサーバで分担して行うことができる。
【００３５】
＜ネットワーク１０の構成例＞
【００３６】
図２は、図１のネットワーク１０の構成例を示す図である。
【００３７】
ネットワーク１０は、任意の数の無線中継装置２１、任意の数の無線LAN(Local Area Network)２２、携帯電話網２３、及び、インターネット２４で構成される。
【００３８】
無線中継装置２１は、無線で通信を行う装置であり、ルータ機能を有する。
【００３９】
無線中継装置２１は、センサ装置１１で得られたセンサデータを回収することができるように、例えば、活用地域に万遍なく設置される。
【００４０】
無線中継装置２１の設置は、例えば、センサ装置１１の設置と同様に、人手によって行うことや、飛行機、船舶、自動車等で移動しながら、無線中継装置２１を散布することによって行うことができる。また、無線中継装置２１は、自動車（例えば、定期運行しているバス等）や、バイク、船舶等の移動可能な乗り物に設置することができる。
【００４１】
無線中継装置２１は、センサ装置１１と通信を行うことにより、センサ装置１１から送信されてくるセンサデータを受信する。また、無線中継装置２１は、他の無線中継装置２１と通信を行うことにより、他の無線中継装置２１から送信されてくるセンサデータを受信する。さらに、無線中継装置２１は、他の無線中継装置２１と通信を行うことにより、他の無線中継装置２１に、センサデータを送信する。
【００４２】
また、無線中継装置２１は、無線LAN２２や携帯電話網２３と通信を行うことにより、センサ装置１１や他の無線中継装置２１から受信したセンサデータを、無線LAN２２や携帯電話網２３に送信する。
【００４３】
無線LAN２２は、ユーザ宅や任意の場所に構築されている。無線LAN２２は、端末１２や、無線中継装置２１、インターネット２４と通信を行うことにより、端末１２からのデータや、無線中継装置２１からのセンサデータを、インターネット２４を介して、サーバ１３に送信する。
【００４４】
また、無線LAN２２は、サーバ１３からインターネット２４を介して送信されてくるデータを受信し、端末１２に送信する。
【００４５】
携帯電話網２３は、例えば、3G回線等であり、端末１２や、サーバ１３、無線中継装置２１、インターネット２４と通信を行う。
【００４６】
インターネット２４は、端末１２や、サーバ１３、無線LAN２２、携帯電話網２３と通信を行う。
【００４７】
ここで、無線中継装置２１が送信するセンサデータや、無線LAN２２を介して送信されてくるデータ、端末１２が送信するデータは、携帯電話網２３及びインターネット２４の一方又は両方を介して、サーバ１３に送信される。また、サーバ１３が送信するデータは、携帯電話網２３及びインターネット２４の一方又は両方を介して、端末１２に送信される。
【００４８】
以上のように構成されるネットワーク１０では、無線中継装置２１がルータ機能を有するので、ある無線中継装置２１が故障等によって通信不能になり、その無線中継装置２１を経由する無線通信経路が使用不能になっても、他の無線中継装置２１を経由する無線通信経路を使用して、センサ装置１１から送信されてくるセンサデータを、サーバ１３に送信することができる。
【００４９】
すなわち、無線中継装置２１がルータ機能を有することにより、センサ装置１１で得られるセンサデータは、無線中継装置２１を経由する様々な無線通信経路を介して、サーバ１３に送信することができる。そのため、サーバ１３では、ある無線中継装置２１が通信不能になっても、センサ装置１１で得られたセンサデータを回収（受信）することができる。
【００５０】
また、無線中継装置２１を設置した自動車のユーザは、例えば、活用地域の山道等を走行するだけで、生態系活用のための情報収集に貢献することができる。
【００５１】
すなわち、無線中継装置２１を設置した自動車で、活用地域を走行することにより、その自動車に設置された無線中継装置２１は、様々な場所で、その場所に近い位置の他の無線中継装置とともに無線通信経路を構成し、センサ装置１１で得られたセンサデータをサーバ１３で回収することに貢献する。
【００５２】
なお、無線中継装置２１としては、近距離無線ネットワークの標準規格の１つである、例えば、ZIGBEE（登録商標）に準拠した無線通信装置、その他の、ルータ機能の搭載が可能で、ある程度の距離の無線通信が可能な、小型で、低消費電力の無線通信装置を採用することができる。
【００５３】
＜端末１２の構成例＞
【００５４】
図３は、図１の端末１２の構成例を示すブロック図である。
【００５５】
端末１２は、CPU(Central Processing Unit)３１、メモリ３２、ストレージ３３、操作部３４、表示部３５、スピーカ３６、カメラ３７、マイク３８、位置検出部３９、通信部４０、外部I/F(Interface)４１、及び、ドライブ４２を有する。CPU３１ないしドライブ４２は、バスに接続されており、相互に、必要な通信を行う。
【００５６】
CPU３１は、メモリ３２やストレージ３３にインストールされたプログラムを実行することで、各種の処理を行う。
【００５７】
メモリ３２は、例えば、揮発性メモリ等で構成され、CPU３１が実行するプログラムや、必要なデータを一時記憶する。
【００５８】
ストレージ３３は、例えば、ハードディスクや不揮発性メモリで構成され、CPU３１が実行するプログラムや、必要なデータを記憶する。
【００５９】
操作部３４は、物理的なキー（キーボードを含む）や、マウス、タッチパネル等で構成される。操作部３４は、ユーザの操作に応じて、その操作に対応する操作信号を、バス上に出力する。
【００６０】
表示部３５は、例えば、LCD(Liquid Crystal Display)等で構成され、バスから供給されるデータに応じて、画像を表示する。
【００６１】
ここで、操作部３４としてのタッチパネルは、透明な部材で構成され、表示部３５と一体的に構成することができる。これにより、ユーザは、表示部３５に表示されたアイコンやボタン等を操作するような形で、情報を入力することができる。
【００６２】
スピーカ３６は、バスから供給されるデータに応じて、音響を出力する。
【００６３】
カメラ３７は、画像（静止画、動画）を撮影し（光をセンシングし）、対応する画像データを、バス上に出力する。
【００６４】
マイク３８は、音響を集音し（音をセンシングし）、対応する音響データを、バス上に出力する。
【００６５】
位置検出部３９は、例えば、GPS(Global Positioning System)を利用して、端末１２の位置を、ユーザ等の位置として検出し、その位置を表す位置情報を、バス上に出力する。
【００６６】
通信部４０は、無線LAN２２や、携帯電話網２３、インターネット２４等との通信を行う。
【００６７】
外部I/F４１は、例えば、ヘッドフォンその他の外部の装置との間で、データをやりとりするためのインターフェースである。
【００６８】
ドライブ４２は、例えば、メモリカード等のリムーバブルメディア４２Ａの着脱が可能になっており、そこに装着されたリムーバブルメディア４２Ａを駆動する。
【００６９】
以上のように構成される端末１２において、CPU３１が実行するプログラムは、端末１２に内蔵されている記録媒体としてのストレージ３３にあらかじめ記録しておくことができる。
【００７０】
また、プログラムは、リムーバブルメディア４２Ａに格納（記録）して、いわゆるパッケージソフトウエアとして提供し、リムーバブルメディア４２Ａから端末１２にインストールすることができる。
【００７１】
その他、プログラムは、通信部４０を介して、インターネット２４からダウンロードし、端末１２にインストールすることができる。
【００７２】
CPU３１は、端末１２にインストールされたプログラムを実行することにより、取得部５１、及び、表示制御部５２として機能する。
【００７３】
取得部５１は、各種の情報（データ）を取得する。
【００７４】
表示制御部５２は、取得部５１が取得した情報等を、表示部３５に表示させることで、ユーザに提示する表示制御を行う。
【００７５】
なお、端末１２には、光をセンシングするカメラ３７、及び、音をセンシングするマイク３８以外のセンサ、すなわち、光及び音以外の物理量、例えば、温度や圧力等をセンシングするセンサ４３を設けることができる。端末１２にセンサ４３を設ける場合には、端末１２は、センサ装置１１の役割も果たすことができる。
【００７６】
＜サーバ１３の構成例＞
【００７７】
図４は、図１のサーバ１３の機能的構成例を示すブロック図である。
【００７８】
サーバ１３は、CPU６１、メモリ６２、ストレージ６３、操作部６４、表示部６５、スピーカ６６、通信部６７、外部I/F６８、及び、ドライブ６９を有する。
【００７９】
CPU６１ないしドライブ６９は、図３のCPU３１ないしスピーカ３６、通信部４０ないしドライブ４２とそれぞれ同様に構成される。
【００８０】
サーバ１３では、端末１２と同様に、CPU６１が実行するプログラムは、サーバ１３に内蔵されている記録媒体としてのストレージ６３にあらかじめ記録しておくことができる。
【００８１】
また、プログラムは、リムーバブルメディア６９Ａに格納（記録）して、パッケージソフトウエアとして提供し、リムーバブルメディア６９Ａからサーバ１３にインストールすることができる。
【００８２】
その他、プログラムは、通信部６７を介して、インターネット２４からダウンロードし、サーバ１３にインストールすることができる。
【００８３】
CPU６１は、サーバ１３にインストールされたプログラムを実行することにより、協生農法CMS(Content Management System)７１、グラフ表示制御部７２、評価部７３、信頼度算出部７４、アドバイス生成部７５、関連付け部７６、解析部７７、及び、植生分布表示制御部７８として機能する。
【００８４】
協生農法CMS７１は、協生農法に関する情報の授受を行うwebページ（以下、協生農法ページともいう）を構成するコンテンツ（テキストや画像等）や、レイアウト情報等を、DB（データベース）に登録して管理する。さらに、協生農法CMSは、協生農法ページを構築し、インターネット２４上のwebサーバとして、協生農法ページを、通信部６７から、端末１２（その他のwebブラウザとして機能する装置）に送信する。
【００８５】
端末１２（図３）では、取得部５１が、協生農法CMS７１からの協生農法ページを、通信部４０を介して取得し、表示制御部５２が、その協生農法ページを、表示部３５に表示させる。
【００８６】
グラフ表示制御部７２は、ストレージ６３等に記録されたDBから、後述する関係グラフの生成に必要なバイパータイトグラフ(bipartite graph)を生成し、通信部６７から、端末１２に送信することで、端末１２に、バイパータイトグラフから関係グラフを生成させて表示させる。あるいは、グラフ表示制御部７２は、バイパータイトグラフから関係グラフを生成し、通信部６７から、端末１２に送信することで、端末１２に、関係グラフを表示させる。
【００８７】
すなわち、端末１２（図３）では、取得部５１が、グラフ表示制御部７２からのバイパータイトグラフ、又は、関係グラフを、通信部４０を介して取得する。取得部５１は、バイパータイトグラフを取得した場合には、そのバイパータイトグラフから、関係グラフを生成することにより、その関係グラフを取得する。そして、端末１２では、表示制御部５２が、関係グラフを、表示部３５に表示させる。
【００８８】
評価部７３は、DBに登録されたデータ（センサ装置１１からのセンサデータや、端末１２からの観測値等）を用いて、活用地域の生態系、すなわち、例えば、活用地域の生物多様性や環境等の評価を行う。
【００８９】
信頼度算出部７４は、ユーザが活用地域の生態系を観測して得られる、端末１２からの観測値に対して、信頼度を算出する。
【００９０】
アドバイス生成部７５は、信頼度算出部７４で得られる信頼度に応じて、ユーザによる活用地域の生態系の観測について、端末１２で提示されるアドバイスを生成し、通信部６７から、端末１２に送信する。
【００９１】
端末１２（図３）では、取得部５１が、アドバイス生成部７５からのアドバイスを、通信部４０を介して取得し、表示制御部５２が、そのアドバイスを、表示部３５に表示させることで、ユーザに提示させる。なお、表示制御部５２は、取得部５１が取得したアドバイスを、スピーカ３６から音声で出力させることで、ユーザに提示させることができる。
【００９２】
関連付け部７６は、センサによるセンシングの結果得られるセンサデータと、ユーザによる観測の観測結果を表すシンボル（記号）とを、ボロノイ分割によって関連付け、センサデータとシンボルとを関連付けたDBを構成して、ストレージ６３に登録する（記録する）（記憶させる）。
【００９３】
ここで、ユーザによる観測の観測結果を表すシンボルとは、例えば、ユーザが、植生A（の存在）を観測した場合には、例えば、文字列「植生A」等の、植生A（の観測）を表すものとして定義した任意の記号（文字や数字等を含む）を意味し、例えば、ユーザが、植生Aのロゼット化を観測した場合には、例えば、文字列「植生Aのロゼット化」等の、植生Aのロゼット化を表すものとして定義した任意の記号を意味する。
【００９４】
解析部７７は、センサデータとシンボルとを関連付けたDBを解析して、シンボルが表す植生等のニッチ等を推定する。
【００９５】
植生分布表示制御部７８は、植生分布と、その植生分布に関連付けられた関連情報とを、通信部６７を介して、端末１２に送信することで、端末に、植生分布と、その植生分布に関連付けられた関連情報とを表示させる。
【００９６】
すなわち、端末１２（図３）では、取得部５１が、植生分布表示制御部７８からの植生分布と、その植生分布に関連付けられた関連情報とを、通信部４０を介して取得し、表示制御部５２が、取得部５１で取得された植生分布と関連情報を、表示部３５に表示させる。
【００９７】
ところで、サーバ１３では、ストレージ６３に、様々なDBが登録されており、その様々なDBの一部として、協生農法のマネージメントを支援する各種のDB（以下、協生農法DBともいう）がある。
【００９８】
以下、サーバ１３のストレージ６３に登録された協生農法DBについて説明する。
【００９９】
＜協生農法DBの構成例＞
【０１００】
図５は、協生農法DBの構成例を示す図である。
【０１０１】
図５において、協生農法DBは、種まきDB、植生DB、収量DB、管理記録DB、フェノロジーDB、昆虫動物叢DB、微生物叢DB、気候区分DB、気象DB、座標DB、協生農法査定書DB、アレロパシーDB、輪作適性DB、植物名DB、写真記録DB、及び、メタDB等を有する。
【０１０２】
協生農法DBでは、csv(comma separated values)ファイル(例えば、２次元マトリクス形式のファイル)や、画像ファイルでデータが保存される。協生農法DBの全部又は一部は、サーバ１３から独立して配置し、ネットワーク１０を介してサーバ１３に接続させることができる。
【０１０３】
図６は、種まきDBの構成例を示す図である。
【０１０４】
種まきDBは、例えばcsvファイルにより構成される。この例では、記録年月日、畑区画、畝番号、畝区画、種(seed)と苗の区別、作物名、サクモツメイ、数量、メーカーに関する情報が記録されている。同じ品種の種、苗であっても、メーカーによって採取、生育のさせ方が異なり、メーカー名も一種の栽培条件となり得るので、管理記録しておくことが好ましい。
【０１０５】
ここで、活用地域の畑（農園）は、畑区画に区分されている。畑区画には、畝が形成されており、畝は、1以上の畝区画に区分されている。畝には、その畝を特定する畝番号が付されている。
【０１０６】
例えば2012年1月18日に、畑区画SWの全て(All)の畝には、メーカーＡ社のジャガイモ（メイクイーン）の苗が０．５Kgだけ植えられたことが記録されている。また、全て(All)の畑区画にＣ社のレタス（キングクラウン）の種が２袋だけ播かれたことが記録されている。
【０１０７】
なお、作物名には、「ジャガイモ（男爵芋）」と、品種を含む情報が漢字も含んで記録されるが、サクモツメイには、「ジャガイモ」と、品種を区別せず、単に名称の情報だけがカタカナだけで記録されている。このような統一された文字だけの表現は、検索を容易にする。
【０１０８】
図７は、植生DBの構成例を示す図である。
【０１０９】
植生DBは、例えばcsvファイルで構成される。この例では、記録年月日と観測区画座標としての位置情報が記録されている。例えば観測区画座標ＮＥにおいて、次のようなことが観測されたことが記録されている。2012年1月23日には、ソラマメの発芽が定着したこと、ニンジンが収穫可能であること、ダイコンが収穫可能であること、ネギが定着したこと、苗ブロッコリーが定着したこと、苗キャベツが定着したこと、苗白菜が定着し、収穫可能であることが記録されている。
【０１１０】
また、イネ科、キク科、マメ科の雑草が観測されたこと、赤巻チコリが収穫可能であることが記録されている。なお、例えば所定の植物をイネ科よりさらに詳しく分類することも理論的には可能であるが、実用的にはそれ以上詳細に分類しても殆ど意味はない。
【０１１１】
2012年2月25日にも観測区画座標ＮＥにおいて観測された事項が記録されている。
【０１１２】
図８は、収量DBの構成例を示す図である。
【０１１３】
収量DBは、例えばcsvファイルで構成される。この例では、収穫された作物の収量が、収穫された月日毎に記録されている。例えばホロニガレタスは、2012年1月14日に、100ｇ収穫され、大根は、1月24日に1700ｇ、1月29日に4000ｇ、1月30日に1500ｇ、1月31日に740ｇ、2月20日に1500ｇ、それぞれ収穫されている。
【０１１４】
この他、コカブ、Ｗ農園のコカブ、イタパセ、サラダニラ、ミント、ローズマリー、小松菜、ムー菜、ネギ、ハツカダイコン、Ｗ農園のハツカダイコン、セロリ、ゴボウ、チンゲン菜、春菊、小人参、Ｗ農園の小人参、Ｗ農園の大中人参、カリフラワー、キャベツ（茎キャベツ）、島ラッキョ、白菜緑菜、フキノトウ等の収量が記録されている。なお、「Ｗ農園」は農園の名称であり、「茎キャベツ？」は、観測者（ユーザ）が、そのキャベツが茎キャベツであるのかどうか、正確に識別できなかったことを表している。「ムー菜」とは一般的な名称ではないが、その植物に観測者が名付けた名称である。図８では、位置情報としての座標の記録は省略されているが、作物が観測された畑や畝等の区画の位置情報としてのGPS座標等を記録することができる。
【０１１５】
なお、収量DBの入力には、種まきDBの入力情報を利用することができる。例えば、収量DBの入力を行う場合には、種まきDBにより管理されている植物の情報をそのまま表示することができる。
【０１１６】
図９は、管理記録DBの構成例を示す図である。
【０１１７】
管理記録DBは、例えばcsvファイルで構成される。この例では、行われた管理作業と行われた年月日が記録されている。例えば、2012年1月19日、2012年1月20日、2012年1月21日、2012年1月22日、2012年1月23日に、苗定植と、防風棚作りなどの土木工事が行われたことが記録されている。
【０１１８】
図１０は、フェノロジーDBとしてのcsvファイルの構成例を示す図である。
【０１１９】
フェノロジーDBは、例えば画像ファイルとcsvファイルで構成される。図１０は、csvファイルの例を示しており、csvファイルには、フェノロジーの内容と記録日時が文字で記録されている。例えば2011年1月9日に、不明な草の種が観測されたこと、他より成長がよいこと、エンドウの下部分が枯れてきたこと、他より明らかに成長がよい箇所が観測されたこと等が記録されている。
【０１２０】
図１１は、フェノロジーDBとしての画像ファイルの構成例を示す図である。
【０１２１】
図１１の画像ファイルでは、「大磯協生農園」の名称の畑で観測されたフェノロジーが、撮影された写真と付加された簡単なコメントとともに日付毎に記録されている。
【０１２２】
図中左上には、場所がOiso、日付が2011年9月22日、畑区画がNN、畝番号が02、畝区画がd3において撮影された画像であるフェノロジー１が示されている。図中上中央には、同じ場所で撮影された画像であるフェノロジー１−２が、「NN02d3は双葉の発芽がとても多い」というコメントとともに示されている。
【０１２３】
このように、フェノロジーDBには、作業者（ユーザ）が観測したフェノロジーが、文字、画像により記録される。
【０１２４】
図１２は、昆虫動物叢DB構成例を示す図である。
【０１２５】
昆虫動物叢DBは、例えば、画像ファイルとcsvファイルにより構成される。図１２のＡには、2012年2月18日に、伊勢新農園の名称の畑087で撮影された昆虫の画像が示されている。コメントとして、観測地が伊勢新農園であること、昆虫は、目名がコウチュウ目、科名がゴミムシダマシ科、分類がスナゴミムシダマシ類と思われること、石の下で集団越冬していたことが記録されている。
【０１２６】
図１２のＢには、2012年2月18日に、伊勢新農園の名称の畑088で、撮影された昆虫の画像が示されている。コメントとしては、図１２のＡにおける場合と同じ内容が記録されている。
【０１２７】
図１２のＣには、2012年2月18日に、伊勢新農園の名称の畑089で、撮影された静物の画像が示されている。コメントとして、観測地が伊勢新農園であること、生物は、クモ類、目名はクモ目、科名はコモリグモ科、種名はウヅキコモリグモであること、そして、コモリグモ科の最普通種で、地表付近を徘徊しているのを、よく見かけることが記録されている。
【０１２８】
図１３は、気象DBの構成例を示す図である。
【０１２９】
この例においては、2012年の津地方における気圧、降水量、気温、湿度等の気象情報が、各月の上旬、中旬、下旬毎に記録されている。例えば、１月上旬においては、現地の平均の気圧は1018.7hPa、海面の平均が1021.0ｈPaである。降水量は、最大が１０分間で0.5mm、１時間で0.5mm、１日で0.5mm、合計で0.5mmとなっている。気温については、最高が11.6℃、最低が0.2℃であり、１日の平均の最高が9.2℃、平均の最低が2.0℃、日の平均が5.2℃となっている。湿度は、平均が62％、最小が24％となっている。
【０１３０】
図１４は、アレロパシーDBの構成例を示す図である。
【０１３１】
アレロパシーDBは、例えばcsvファイルにより構成される。この例においては、ネギ、スイカやメロン（ウリ科）、ニンジン、アワ・キビ、ムギ、カボチャ、スイカ・キュウリ・カボチャ（ウリ類）、ニンニクやタマネギについて、アレロパシー（他感作用）が記録されている。「１」は対象となる植物の間で共生的な相互作用（すなわち促進的作用）が確認されたことを意味し、「０」はそれが確認されていないことを意味する。例えば、ネギとニンジンは共生的な相互作用が確認されているが、ネギとムギは共生的な相互作用が確認されていない。なお、０〜１０などの数字を用いて、相互作用の程度を段階的に表すこともできる。
【０１３２】
図１５は、輪作適性DBの構成例を示す図である。
【０１３３】
輪作適性DBは、csvファイルにより構成される。この例においては、スイカ、メロン（ウリ科）と落花生の輪作適性が記録されている。「１」は対象となる植物の間でその畑において良好な輪作適性が確認されたことを意味し、「０」はそれが確認されていないことを意味する。例えば、スイカやメロン（ウリ科）と落花生は良好な輪作適性が確認されている。
【０１３４】
これらのアレロパシーDBや輪作適性DBは、文献などで知られている情報だけでなく、それ以外の情報からも作成される。例えば、種まきDB、植生DB、収量DBを比較参照して、実際に協生農園で混生状態が成立した植生の組み合わせや、植生遷移（すなわち、時間的な植生の変化）が生じた組み合わせからも同じ形式で作成することができる。
【０１３５】
微生物叢DBは、画像ファイルとcsvファイルで構成される。微生物叢DBは、協生農園で取得した土壌サンプルから解析された微生物に関する情報を記録する。
【０１３６】
気候区分DBは、csvファイルで構成される。この気候区分DBは、農園が位置している気候区分に関する情報を記録するDBであり、照葉樹林帯、落葉樹林帯、亜熱帯気候、熱帯気候などの区分からなる。
【０１３７】
気象DBは、例えばアメダス等の気象衛星の気象データからグラフ化した画像ファイルと、csvファイル、及び圃場に設置した観測機器であるセンサ装置１１による各種気象データを記録する。
【０１３８】
座標DBは、csvファイルで構成される。座標DBは、畑の畝ごとのGPS座標を記録している。この座標は、10 センチ程度の精度を有している。
【０１３９】
協生農法査定書DBは、pdf もしくは画像ファイルで構成される。協生農法査定書は、協生農法としての審査をクリアしたことの証明書であり、サーバ管理者が、畑２１の管理者からの申請に基づいて畑を審査して、協生農法としての条件を満たしていることを確認した場合に発行される。この発行を受けた農園からの作物には、協生農法によるものであることを表記することが認められる。
【０１４０】
植物名DBは、各種の植物の名称と画像を記録する。写真記録DBは、各種の写真を記録する。メタDBは、後述するキーイベントを記録する。
【０１４１】
協生農法DBには、以上の他、協生農法で栽培する植物の植生設計を得るのに必要な各種の情報が記録される。
【０１４２】
＜植生設計の支援処理＞
【０１４３】
図１６は、植生設計の支援の処理の例を説明するフローチャートである。
【０１４４】
図１の生態系活用システムは、生態系活用の支援の１つとして、植生設計の支援を行う。生態系活用システムにおいては、ユーザが栽培したい作物（植生）を入力すると、それらの作物と混生密生状態を構築するのに適した植生の組み合わせ、すなわち植生設計が、アレロパシーDBと輪作適性DBから検索される。そして、最もコストが低く収量が高いと予想される植生設計の時空間配列が出力される。
【０１４５】
協生農法では、混生密生を基本とするため、複数の作物の種を混ぜて播種し、育って来たものを収穫する。どのような組み合わせで種をまけばより混生密生度を高く達成できるかは植物同士や土地条件との適正があり、既に知られている植物間相互作用(アレロパシーや輪作適性)と、圃場で実際にうまく行った組み合わせの両方から予想する必要がある。
【０１４６】
完全には生態系や気象をコントロールできないので、播種した種や植えた苗のうち全てが収穫可能とは限らないが、できるだけコストを削減し収量を最大化する植生の組み合わせを推定することが植生設計の課題である。植生設計は株式投資におけるポートフォリオの構成と概念的に相同なため、植生設計はシードポートフォリオ（Seed Portfolio）と呼ぶことができる。
【０１４７】
植生設計の支援の処理では、図１６に示すように、ステップＳ１１において、端末１２の取得部５１は、栽培する植物種（植生）の選択を取得する。すなわち、ユーザが、操作部３４を操作して、栽培しようとする植物種を指定すると、これが取得部５１により取得される。この入力は、ユーザに任意の植物名を入力させる方法で行ってもよいし、予め用意した植物名のリストを表示部３５に表示させ、その中から所定のものを選択させるようにしてもよい。これにより、栽培する植物の指定が受け付けられる。
【０１４８】
ステップＳ１２において、通信部４０は、取得部５１が取得した植物種（の植物種名）を、ネットワーク１０を介して、サーバ１３に送信する。
【０１４９】
ステップＳ３１において、サーバ１３の通信部６７は、端末１２から送信された植物種を受信する。つまりステップＳ１２で端末１２から送信された植物種がサーバ１３により受信される。これによりユーザにより栽培される植物がサーバ１３に受け付けられたことになる。ステップＳ３２において、サーバ１３においては、協生農法CMS７１が、端末１２からの植物種を含む植生設計を検索する。すなわち、協生農法CMS７１は、ユーザにより指定された植物（端末１２からの植物種）と混生密生状態を構築するのに適した植生の組み合わせを、アレロパシーDBと輪作適性DBの少なくとも一方から網羅的に検索する。なお、受信した植物種の確認には、必要に応じて植物名DBも利用される。
【０１５０】
ステップＳ３３において、協生農法CMS７１は、ステップＳ３２で検索された各植生設計の共生スコアを計算する。すなわち、ステップＳ３２で検索された１以上の数の植生設計である、ユーザにより指定された植物と混生密生状態を構築するのに適した植生の各組み合わせの共生スコアが計算される。
【０１５１】
共生スコアは、植え合わせたい種の集合が対応するアレロパシーDBと輪作適性DBに記録されている全要素の平均値として定義される。全要素とは、その種の全ての重み付けスコアであり、重み付けスコアとは、各植物の相互作用を正負の数値で評価した値である。つまり、共生スコアＳＣは、全植物の重み付けスコアの数をｎ、ｉ（ｉ＝１，２，・・・,ｎ）番目の植物の重み付けスコアの値をＥiとするとき、式ＳＣ＝ΣＥi／ｎで表される。なお、重み付けスコアの値Ｅiは、混生密生状態を構築する適性の程度が大きい程大きな値となる。また、Σは、iを、1〜nの整数値に変えてのサメーションを表す。
【０１５２】
共生スコアＳＣの値が大きいほど共生的な相互作用が強いこと、すなわち共生的な相互作用が強い経験則があることを意味し、数値が小さい（負に大きい）ほど競合的な相互作用が強いことを意味する。
【０１５３】
アレロパシーDBと輪作適性DBには、文献及び圃場データから作成した植物種の組み合わせごとに、相互作用が正負の数値で評価された重み付けスコアの値が記録されている。すなわち、種まきDBに種まきされたと記録されている種の植物の植生状態が植生DBに記録され、その植物から得られた収量が収量DBに記録される。そしてその植物の重み付けスコアが観測毎に種まきDB、植生DB、収量DBに追加されていき、最終的に収量が多い組み合わせ程、大きな重み付けスコアが付与される。輪作適性DBについても同様に、輪作に適した植物の組み合わせに大きい重み付けスコアが記録されていく。そしてアレロパシーDBにそれらに基づく共生スコアが記録される。
【０１５４】
例えば落花生が指定された場合、落花生と組み合わせの対象として記録されている他の植物の１つであるスイカとの共生スコアは、両者を混生密生状態として植生した場合の種々の条件、結果等の要素に対する重み付けスコアの平均値が計算される。収量が多ければ、その要素には大きい重み付けスコアが割り当てられ、収量が少なければ、小さい重み付けスコアが割り当てられる。それらの平均値が計算されて、共生スコアとされる。なお、計算は、植物が指定される毎に行ってもよいし、所定のタイミングで自動的に行っておいてもよい。
【０１５５】
共生スコアの計算に、アレロパシーDBと輪作適性DBの全ての積算値を用いると、植生遷移により年度ごとに育ちやすくなる植物種が変化する場合が平均化されてしまう。そこで、直近の過去数年分程度に区切った可変長時間差分の平均値である共生スコアでも評価が可能とされている。これを考慮することで、植生遷移への対応と利用を図ることができる。
【０１５６】
ステップＳ３４において、協生農法CMS７１は、ステップＳ３１で検索された各植生設計の共生スコアを評価する。すなわち、ユーザにより指定された植物を含む各植生設計の共生スコアを比較する。
【０１５７】
ステップＳ３５において、協生農法CMS７１は、共生スコアが上位の植生設計を選択する。すなわち、ステップＳ３４で評価された共生スコアの値が大きい植物種の組み合わせが大きい順に１以上選択される。
【０１５８】
なお、検索された全ての植生設計をそのままユーザに提示する場合には、共生スコアの評価、共生スコアの値が上位の植生設計の選択の処理は省略することができる。
【０１５９】
また、共生スコアの評価をユーザにやらせる場合には、共生スコアの評価と共生スコアの値が上位の植生設計の選択の処理は省略することができる。
【０１６０】
ステップＳ３６において、サーバ１３の通信部６７は、選択された植生設計を、ネットワーク１０を介して、ステップＳ３１で受信された植物種をサーバ１３に送信した端末１２に送信する。
【０１６１】
ステップＳ１３において、端末１２の取得部５１は、サーバ１３から送信された植生設計を、通信部４０に受信させることにより取得する。これにより、ステップＳ１１でユーザにより指定された植物の植生設計が取得される。ステップＳ１４において、表示制御部５２は、サーバ１３から取得した植生設計を、表示部３５に表示させる。
【０１６２】
これにより、ユーザは、ステップＳ１１で入力した植物種と混生密生状態を構築するのに適した植生の各組み合わせ知ることができる。ユーザは、生態系活用システムから提案され、表示された組み合わせの中から、所定の組み合わせを選択し、実際に畑で栽培することができる。表示された組み合わせは、ユーザが指定した植物種と混生密生状態を構築するのに適した植生の各組み合わせであるから、ランダムな組み合わせで栽培する場合に比較して、収量を向上させることが可能となる。その結果、ランダムな組み合わせで植物を栽培する場合に比べて、コストを安くすることができる。ただここでユーザに提示される情報は予測ではない。過去の経験則に基づく予測の参考情報である。予測はその参考情報に基づいてユーザが行う。
【０１６３】
また、協生農法では、植物を混生密生状態で植生するため、植物毎に栽培区域を分けるモノカルチャー（慣行農法）の場合のように、農作業を幾つかに定式化し、そのいずれかを選択するようにしても、必ずしもいい結果は得ることができない。生態系活用システムでは、ユーザの観測に基づいて、ユーザに対して新たな組み合わせを提案することができる。例えば、ある植生と昆虫の組み合わせに共生的な相互作用が強いことがユーザにより発見された場合、それを利用する植生設計を行うことが可能となる。
【０１６４】
さらに、協生農法では、複数の種類の植物を混生密生状態で植生するので、１種類の植物だけを栽培する場合に比べて、危険を分散することができ、平均的には多くの収量を得ることが可能となる。これが生態系活用システムの植生設計を、シードポートフォリオと称する理由でもある。そこで、提示する上位の組み合わせの数をユーザに指定させることもできる。もちろん、より適切な植物の数も提示させることもできる。これによりリスク管理が可能となる。
【０１６５】
図１７は、共生的アレロパシーの出力例を示す図である。
【０１６６】
この図１７は、図１６のステップＳ１４での表示例である。図１７においては、最上段に示されている１０種類の植物と混生密生状態を構築するのに適した植物（すなわちコンパニオンプランツ）が、その下段に示されている。例えば、トウモロコシと混生密生状態を構築するのに適した植物は、スイカやメロン（ウリ科）、カボチャ、マメ類、レタス／サラダ菜、ウリ科、スイートバジル、ツルインゲン、ゼラニウム、メロン、パセリ、大豆、アサガオ、小松菜、葉菜類である。またセロリと混生密生状態を構築するのに適した植物は、トマト、キャベツ類、ハクサイ、カブ、エンドウである。
【０１６７】
つまり、ユーザが最上段の植物名を入力すると、その下段に示されている植物名が、混生密生状態を構築するのに適した植物として表示されることになる。従ってユーザは、表示の中から１つ以上の植物を選択して、指定した植物とともに、混生密生状態で植生することができる。
【０１６８】
なお、図１７の例においては、植物名のみが示されているが、対応する共生スコアも合わせて、上位から順番に表示してもよい。
【０１６９】
＜ARタグの表示例＞
【０１７０】
図１８は、ARタグの表示例を示す模式的な図である。
【０１７１】
協生農法では、どの野菜を残してどの草を刈るかなど、圃場における植物個体１つ１つの精度での植生管理が究極的には必要になるため、現場で処理すべき情報量が膨大になる。そこで、生態系活用システムにおいては、それだけの情報量を個人の能力差に関わり無く処理するために、拡張現実技術（AR：Augmented Reality)が採用される。
【０１７２】
AR技術を屋外で用いるには、画像認識によるマーカを使用する方法と、風景の中にある物体をマーカとして利用するマーカレスの方法の２通りが考えられる。しかしながら、マーカを設置する場合、マーカ自体が作業の邪魔になる。また、マーカレスの場合、農作業に必要な身体運動に対して、認識精度が十分でない。つまり、作業者が作業をしている状態で画像認識すること（自然画像内のマーカーを認識すること）が困難であり、実質的に農作業を行うことが困難になる。
【０１７３】
そこで、生態系活用システムにおいては、協生農法DBに記録される情報に対して、位置情報としてのGPS座標に基づくタグ付けが行われる。そして、端末１２においては、GPS座標を指定することで、そのGPS座標に対応する情報が読み出される。GPSとしては、例えば10 センチ精度で位置情報が認識可能なGPS (例えばRTK-LIB)を利用することができる。
【０１７４】
具体的には、所定のGPS座標に実際に植生されている野菜の個体ごとにその種名をタグ付けしたり、所定のGPS座標の畝ごとに種まきや管理作業の情報をタグ付けしたり、所定のGPS座標の先住植生に所定の情報をタグ付けすることができる。この技術を用いることで、実際の圃場には一切のマーカなどを置くこと無く、AR情報を読み出せる端末１２のみで、協生農法のマネージメントに必要な情報処理を行うことができる。
【０１７５】
図１８に示すように、タグ（ARタグ）は、実際には、カメラ３７により撮影して得られた動画又は静止画の現実世界の画像に重ね合わせて表示される。なお、図１８では、現実世界の野菜も模式化されて表されている。複数の属性のタグはそれぞれの属性ごとや重ねて表示できる。
【０１７６】
図１８の表示例では、ユーザはこの場所で2011年８月に草刈りをし、2011年９月に種まきを行っている。何の種がまかれたかの情報は、その種まきのタグに付随して管理記録DBに記録されている。そして、現在においては、この場所に、白菜、ニラ、ダイコン、カリフラワー、コマツナ、ゴボウが植生している。
【０１７７】
図１８に示されるように、白菜１０１ないし１０４、ニラ１０５、ダイコン１０６、カリフラワー１０７、コマツナ１０８、ゴボウ１０９、ヨモギ群生地帯１１０は、それぞれある畑の所定のGPS座標で表される位置に植生している。これらの植物はGPS座標で特定できるように、それぞれユーザにより付加された白菜、ニラ、ダイコン、カリフラワー、コマツナ、ゴボウ、ヨモギ群生地帯のタグとともに、植生DBに記録、管理されている。
【０１７８】
つまり、ユーザがこれらの植物を観測した場合、操作部３４を操作して、それらの植物の名称をタグとして入力すると、そのGPS座標位置に植生している植物は、そのタグが付加されて管理される。ユーザが畑の所定の植物をカメラ３７により撮影すると、その画像が表示部３５に表示される。さらに所定の指示が入力されると、図１８に示されるように、GPS座標の実際の植物の画像に重畳して対応するタグが表示される。なお、ヨモギ群生地帯１１０は、ユーザが種をまいた結果として植生した植物ではなく、先住植物であるが、これに対しても先住植生情報としてユーザによりタグが付加されている。
【０１７９】
植生する植物は、時期によって変化するので、タグは年月日を付加して管理される。
【０１８０】
＜協生農法ページ＞
【０１８１】
図１９は、協生農法ページとしてのwebページのサイトマップの例を示す図である。
【０１８２】
サーバ１３は、協生農法DBを図１９に示される地理的階層に応じてリンクしたwebページである協生農法ページを、端末１２のユーザに提供する。端末１２のタッチパネルから操作するために、協生農法DBを選択するアイコンが協生農法ページのトップページに表示される。
【０１８３】
協生農法ページは、同図に示されるように、上位の階層から下位の階層の順番に、トップページ、地図上の畑の分布、畑の全体情報、畑区画の全体情報、畝区画の全体情報の階層で構成される。トップページ、地図上の畑の分布、畑の全体情報、畑区画の全体情報、畝区画の全体情報の階層は、それぞれ地球、畑、畑区画、畝区画の地理階層に対応する。したがって、端末１２の表示部３５は、畑をこの階層構造にしたがって出力表示する。例えばユーザは、畑#1の画面から、その畑#を区分した畑区画#1-1，#1-2，・・・の画面を選択することができ、畑区画#1-1の画面から、その畑区画#1-1にある畝区画#1-1-1，#1-1-2，・・・の画面を選択することができる。なお、この例では、畝の階層は省略されているが、設けてもよい。
【０１８４】
また、畑の全体情報は、気候区分DB、気象DB、協生農法査定書DB、写真記録DB、位置情報としてのGPS座標を記録する座標DBにリンクしている。畑区画の全体情報は、収量DB、昆虫動物叢DB、フェノロジーDB、写真記録DB、座標DBにリンクしている。畝区画の全体情報は、種まきDB、植生DB、フェノロジーDB、写真記録DB、座標DBにリンクしている。
【０１８５】
図２０は、協生農法ページで提供される地図上の畑の分布の表示例を示す図である。
【０１８６】
この例においては、地球の地図上に、畑の位置がフラグ１２１で示されている。アイコン１２２ないし１２９は、それぞれ種まきDB、植生DB、収量DB、写真記録DB、フェノロジーDB、昆虫動物叢DB、気候区分DB及び気象DBに対応し、それぞれを読み出すとき操作される。地理階層のアイコン１３０は、畑のレベルを選択するとき操作される。
【０１８７】
アイコン１３１は、検索を指示するとき操作され、アイコン１３２は、ソートを指示するとき操作され、アイコン１３３は、キーイベントを指示するとき操作される。
【０１８８】
検索のアイコン１３１が操作されると、サーバ１３の協生農法CMS７１は、全語句やファイル名を検索する。協生農法CMS７１は、類似語検索機能も有する。これにより、日付の異なる様式での一括検索も可能となる。例えば、「２０１１年４月１日」と「20110401」、「01042011」、「2011/4/1」、「1/4/2011」、「二千十一年四月一日」などの日付は、同一視される。また、種名のカナ表記／漢字表記／和名／学名／英名／通俗名などを同一視した一括検索も可能となる。例えばジャガイモと馬鈴薯は同一視される。
【０１８９】
ソートのアイコン１３２が操作されると、協生農法CMS７１は、全パラメータ毎のソートを行う。例えば、検索結果を、日付順や種名の五十音順などのパラメータ毎に並び替えることができる。
【０１９０】
なお、これらのアイコン１２２ないし１３３は、その画面において操作可能なものだけが表示される。
【０１９１】
＜圃場の情報を参照する処理＞
【０１９２】
図２１は、ユーザが圃場（畑）の情報を参照する場合の処理の例を説明するフローチャートである。
【０１９３】
ステップＳ４１において、端末１２の取得部５１は、畑のレベルの情報を取得する。すなわち、ユーザは、畑に関する情報を参照する場合、操作部３４を操作して、地理階層のアイコン１３０（図２０参照）を選択する。この操作が行われると、表示部３５は、畑のレベルを選択する画面を表示する。つまり畑の一覧のレベルが表示される。ユーザは操作部３４を操作して、その画面から、参照の対象とする畑を選択する。取得部５１がこの選択の情報を取得すると、通信部４０がこの選択の情報をサーバ１３に送信する。
【０１９４】
ステップＳ６１において、サーバ１３の通信部６７は、端末１２により選択された畑のレベルの情報を受信する。ステップＳ６２において、ステップＳ４１で端末１２により選択されたレベルの畑のリストを作成し、出力する処理が行われる。つまり、協生農法CMS７１は、座標DBを検索することで、ステップＳ６１で受信したレベルの畑のリストを生成し、通信部６７がそのリストを端末１２に送信する。
【０１９５】
ステップＳ４２においてリストを受信し、表示する処理が行われる。すなわち、サーバ１３から出力されたリストが端末１２の通信部４０により受信され、表示制御部５２がそのリストを表示部３５に表示する。
【０１９６】
ユーザは、操作部３４を操作して、表示されたリストの中から、参照対象とする畑を選択する。ステップＳ４３において、通信部４０は、リストから選択された畑の情報を送信する。
【０１９７】
ステップＳ６３において、サーバ１３の通信部６７は、端末１２により選択された畑の情報を受信する。
【０１９８】
ステップＳ６４において、協生農法CMS７１は、ステップＳ６３において受信された畑が関係するDBを、協生農法DBから検索する。つまりユーザが指定したレベルの畑が関係するDBが、協生農法DBから検索される。ステップＳ６５において、検索された畑のDBの一覧を出力する処理が行われる。つまり、協生農法CMS７１は検索結果に基づいて、関係するDBの一覧を作成し、通信部６７がその一覧を端末１２に出力する。
【０１９９】
ステップＳ４４において、端末１２の通信部４０は、検索された畑のDBの一覧を受信する。ステップＳ４５において、表示制御部５２は、通信部４０が受信した畑のDBの一覧を、表示部３５に表示させる。
【０２００】
ユーザは、操作部３４を操作して、表示された一覧の中から参照するDBと畑の座標を入力する。ステップＳ４６において、取得部５１は、この入力された、参照するDBと畑の座標の情報を取得する。ステップＳ４７において、通信部４０は、ステップＳ４６で取得された情報を、サーバ１３に送信する。
【０２０１】
ステップＳ６６において、サーバ１３の通信部６７は、端末１２により送信された情報を受信する。ステップＳ６７において、協生農法CMS７１は、受信した情報に基づき、指定されたDBの指定された座標の畑の情報を読み出す。すなわち、ステップＳ６６において受信されたDBの、ユーザにより入力された座標の畑の情報が読み出される。ステップＳ６８において、通信部６７は、読み出した畑の情報を端末１２に送信する。
【０２０２】
ステップＳ４８において、端末１２の通信部４０は、サーバ１３からの、DBから読み出された畑の情報を受信する。ステップＳ４９において、表示制御部５２は、通信部４０が受信した畑の情報を、表示部３５に表示する。
【０２０３】
ユーザは、表示部３５に表示された畑の情報を見て、操作部３４を操作して、参照する情報の日付を選択する。取得部５１は、ステップＳ５０において、この参照する情報の日付の選択の情報を取得する。そして日付の選択の情報は、通信部４０によりサーバ１３に送信される。
【０２０４】
ステップＳ６９において、サーバ１３の通信部６７は、端末１２からの、参照する情報の日付の選択の情報を受信する。ステップＳ７０において、協生農法CMS７１は、指定された日付の情報を、協生農法DBから読み出し、ステップＳ７１において、通信部６７は、読み出された日付の情報を、端末１２に送信する。
【０２０５】
ステップＳ５１において、端末１２の通信部４０は、サーバ１３からの、読み出された日付の情報を受信する。ステップＳ５２において、表示制御部５２は、ステップＳ５１において受信された日付の情報を、表示部３５に表示する。
【０２０６】
以上のようにして、参照したい協生農法DB、畑区画などの座標、並びに日付を指定することで、座標ごとの協生農法DBの情報、例えば、ユーザが指定した過去の圃場や他の圃場等の履歴情報が表示部３５に表示され、ユーザはこれを確認することができる。
【０２０７】
なお、以上においては、地理階層のアイコン１３０により畑のレベルを選択するようにしたが、所定の畑のフラグ１２１を操作することで、参照する畑を直接指定することもできる。
【０２０８】
＜写真のアップロード処理＞
【０２０９】
図２２は、写真のアップロード処理の例を説明するフローチャートである。
【０２１０】
ユーザが、端末１２からサーバ１３に写真（としての画像）をアップロードする場合、ステップＳ８１において、端末１２の取得部５１は、写真データを取得する。ユーザは、例えば、畑において所定の植物を発見（観測）し、その写真をサーバ１３にアップロードする場合、カメラ３７によりその植物を撮影する。この撮影が行われると、その写真データ（画像データ）が取得部５１により取得される。勿論、メモリ等に予め保存された写真データをアップロードする写真データとして取得することも可能である。
【０２１１】
ステップＳ８２において、端末１２の位置検出部３９は、位置情報としてのGPS座標を検出する。つまり、端末１２により撮影された被写体の座標が取得される。この座標は、端末１２の現在位置とすることもできるし、現在位置から被写体までの距離と方向を演算し、現在位置を補正することで、より正確な被写体の座標とすることもできる。また、ユーザに操作部３４を操作させることで座標を入力させることもできる。
【０２１２】
ステップＳ８３において、表示制御部５２は、写真データとリンクさせる協生農法DBの情報のリストを、表示部３５に表示する。ステップＳ８４において、取得部５１は、写真データとリンクさせる情報の選択の情報を取得する。すなわち、ユーザが操作部３４を操作することで、表示部３５に表示されたリストの中から、写真データとリンクさせる情報を選択すると、その選択の情報が取得部５１により取得される。
【０２１３】
さらに、ユーザは、操作部３４を操作することで、アップロードする写真にタグとして付加する情報（主に文字情報）を入力する。例えば、白菜の写真を撮影した場合、タグとして「ハクサイ」の名称が入力される。なお、この入力には、キーボードからの文字入力だけでなく、予め用意された入力ページから所定の欄を選択する等の方法を用いることができる。ステップＳ８５において、取得部５１は、この入力されたタグとする情報を取得する。ステップＳ８６において、通信部４０は、ステップＳ８１，Ｓ８２，Ｓ８４，Ｓ８５で取得された情報を、サーバ１３に送信する。
【０２１４】
ステップＳ９１において、サーバ１３の通信部６７は、端末１２から送信されてくる情報を受信する。ステップＳ９２において、協生農法CMS７１は、ステップＳ９１で受信された情報を協生農法DBに登録する。すなわち、ユーザが撮影した写真が、タグとともに、写真記録DBに登録され、さらに、ユーザが選択した協生農法DBの情報にリンクされる。
【０２１５】
以上のようにして、ユーザは、端末１２から所定の写真とタグをサーバ１３にアップロードすることができる。ユーザは、上述した図２１の処理により、このアップロードした情報を後に参照することができる。
【０２１６】
なお、写真以外の各種の情報をアップロードする場合にも同様の処理が行われる。例えば、所定の畝から白菜が１Kg収穫された場合、アップロードする情報として、「白菜１Kg」が入力される。そして、例えば、収量DBに、所定の畝の座標にリンクする形で、情報「白菜１Kg」が記録される。
【０２１７】
＜キーイベントの登録＞
【０２１８】
図２３は、キーイベントの登録の処理の例を説明するフローチャートである。
【０２１９】
ユーザは、任意の事象を、キーイベントとして、協生農法DBのメタDBに登録することができる。キーイベントとしては、協生農法のマネージメント上重要と推定される事象を採用することができ、キーイベントは、自然言語による名称記録と、協生農法DBの各DBの対応項目とのリンクとにより定義される。
【０２２０】
ユーザは、キーイベントを登録するとき、操作部３４を操作して、キーイベントのアイコン１３３（図２０参照）を選択する。このとき、ステップＳ１０１において、取得部５１は、キーイベントのアイコン１３３の選択を受け付ける。ステップＳ１０２において、取得部５１は、写真データと日付を取得する。すなわち、例えば、ユーザが、キーイベントとして記録したい事象としての植物をカメラ３７により撮影し、操作部３４を操作して日付を入力すると、これらの情報が取得部５１により取得される。
【０２２１】
ステップＳ１０３において、位置検出部３９は、位置情報としてのGPS座標を取得する。すなわち撮影された写真に対応する座標が取得される。
【０２２２】
ステップＳ１０４において取得部５１は、入力文字を取得する。すなわち、ユーザが操作部３４を操作してキーイベントとしての文字情報を入力すると、これが取得される。例えば、ユーザは、ロゼット化した白菜を発見したとき、その白菜の写真を撮影するとともに、「白菜のロゼット化」の文字をキーイベントとして入力することができる。
【０２２３】
ステップＳ１０５において、通信部４０は、ステップＳ１０２ないしＳ１０４で取得された情報を、サーバ１３に送信する。
【０２２４】
ステップＳ１２１において、サーバ１３の通信部６７は、端末１２から送信されてきた情報を受信する。ステップＳ１２２において、協生農法CMS７１は、通信部６７が受信した情報をメタDBに記録する。すなわち、ステップＳ１０２ないしＳ１０４で端末１２により取得された情報がキーイベントDBとしてのメタDBに記録（登録）される。
【０２２５】
ステップＳ１０６において、端末１２の取得部５１は、畑のレベルを取得する。すなわち、ユーザは、キーイベントの記録を行う場合、操作部３４を操作して、地理階層のアイコン１３０（図２０）を選択する。この操作が行われると、表示部３５は、畑のレベルを選択する画面を表示する。ユーザは、操作部３４を操作して、その画面から、参照の対象とする畑のレベルを選択する。取得部５１がこの選択の情報を取得し、通信部４０がこの選択の情報をサーバ１３に送信する。
【０２２６】
ステップＳ１２３において、サーバ１３の通信部６７は、端末１２により選択された畑のレベルの情報を受信する。ステップＳ１２４において、ステップＳ１０６で端末１２により選択されたレベルの畑のリストを作成し、出力する処理が行われる。つまり、協生農法CMS７１は、座標DBを検索することで、ステップＳ１２３で受信したレベルの畑のリストを生成し、通信部６７がそのリストを端末１２に送信する。
【０２２７】
ステップＳ１０７においてリストを受信し、表示する処理が行われる。すなわち、サーバ１３から出力されたリストが端末１２の通信部４０により受信され、表示制御部５２がそのリストを表示部３５に表示する。
【０２２８】
ユーザは、操作部３４を操作して、表示されたリストの中から、記録対象とする畑を選択する。ステップＳ１０８において、通信部４０は、リストから選択された畑の情報を、サーバ１３に送信する。
【０２２９】
ステップＳ１２５において、サーバ１３の通信部６７は、端末１２により選択された畑の情報を受信する。
【０２３０】
ステップＳ１２６において、協生農法CMS７１は、ステップＳ１２５において受信された畑の情報が登録されているDBを、協生農法DBから検索する。つまりユーザが指定したレベルの畑が関係するDBが、協生農法DBから検索される。ステップＳ１２７において、検索されたDBの一覧を出力する処理が行われる。つまり、協生農法CMS７１は、検索結果に基づいて、ユーザが指定したレベルの畑に関係するDBの一覧を作成し、通信部６７がその一覧を端末１２に送信する。
【０２３１】
ステップＳ１０９において、端末１２の通信部４０は、サーバ１３からのDBの一覧を受信する。ステップＳ１１０において、表示制御部５２は、サーバ１３からのDBの一覧を表示部３５に表示する。
【０２３２】
ユーザは、操作部３４を操作して、表示された一覧を参照し、キーイベントにリンクするDBと畑の座標を入力する。ステップＳ１１１において、取得部５１は、この入力された、キーイベントとリンクするDB及び畑の座標の情報を取得する。ステップＳ１１２において、通信部４０は、ステップＳ１１１で取得された情報を、サーバ１３に送信する。
【０２３３】
ステップＳ１２８において、サーバ１３の通信部６７は、端末１２より送信された情報を受信する。ステップＳ１２９において、協生農法CMS７１は、協生農法DBのうちの、指定されたDBから、指定された座標の畑の情報を読み出す。すなわち、ユーザにより入力されたDBから、同じくユーザにより入力された座標の畑の情報が読み出される。ステップＳ１３０において、通信部６７は、読み出された畑の情報を、端末１２に送信する。
【０２３４】
ステップＳ１１３において、端末１２の通信部４０は、読み出された畑の情報を受信する。この情報は、表示部３５に表示される。ユーザは、この表示を見て、ユーザが指定（入力）した畑がキーイベントにリンクさせる畑であることを確認する。この確認を行った後、ユーザは、操作部３４を操作して、ユーザにより指定（入力）されたDBの、ユーザにより指定された畑の情報と、キーイベントとをリンクさせるように指示する。この指示に基づいて、ステップＳ１１４において、通信部４０は、リンクのためのコマンドを、サーバ１３に送信する。
【０２３５】
ステップＳ１３１において、サーバ１３の通信部６７は、端末１２から送信されたリンクのコマンドを受信する。ステップＳ１３２において、協生農法CMS７１は、新規に記録されたキーイベントを指定された畑の情報にリンクする。すなわち、ステップＳ１２２でメタDBに新規に記録されたキーイベントが、ステップＳ１１１でユーザにより指定された畑の情報にリンクされる。
【０２３６】
以上のように、キーイベントが畑の情報にリンクされた後は、ユーザは、端末１２の操作部３４を操作することで、キーイベントから、そのキーイベントにリンクされた畑の情報を参照することや、畑の情報から、その畑の情報にリンクされたキーイベントにアクセスすることができる。
【０２３７】
以下に、キーイベントの具体例としての事象について、キーイベント名、自由言語による記録、キーイベントとリンクされる畑の情報が登録されたDBである関連DBの順に記載する。
【０２３８】
キーイベント名：記録防風効果
自由言語による記録：同じ土地条件であっても、周囲に塀などの風を遮る構造がある場所には、野菜の生長が高まる。
関連DB：座標DB、収量DB、管理記録DB、植生DB、フェノロジーDB
【０２３９】
キーイベント名：土壌形成とレタスの発芽率の低下
自由言語による記録：レタスは耕された土地では良く発芽するが、不耕起を続けて土壌構造が形成されて来ると、発芽しにくくなる。
関連DB：種まきDB、管理記録DB、植生DB、フェノロジーDB
【０２４０】
キーイベント名：競合成長
自由言語による記録：土中の栄養分が同じでも、他の植生と競合することで野菜がより大きく生長する。
関連DB：植生DB、フェノロジーDB、収量DB
なお、競合成長の具体例としては、イヌホオズキと競合して大きくなったニンジンの例、夏草を刈らなかった畝で発芽率は悪いが個々の野菜の生長は大きくなった例などがある。
【０２４１】
キーイベント名：ロゼット化：
自由言語による記録：冬期に野菜種によっては地表に平たく這いつくばるような形態に変化し、寒さでも枯れない形状で春まで生き延びる。この形態でも収穫可能である。
関連DB：植生DB、フェノロジーDB、収量DB、気象DB
【０２４２】
キーイベント名：紅葉
自由言語による記録：冬期に、ニンジンやキャベツなどの野菜が紅葉することがある。紅葉しても収穫可能。
関連DB：植生DB、フェノロジーDB、収量DB、気象DB
【０２４３】
キーイベント名：遅霜
自由言語による記録：春の発芽直後に地表が４℃以下になると、遅霜で双葉が全滅するため、全面追い蒔きや苗の定植で対応する必要がある。
関連DB：種まきDB、管理記録DB、植生DB、フェノロジーDB、気象DB
【０２４４】
＜関係グラフ＞
【０２４５】
図２４は、サーバ１３のグラフ表示制御部７２（又は端末１２の取得部５１）で生成される関係グラフを説明する図である。
【０２４６】
任意のDBにおいて、あるカテゴリ（集合）の情報i1と、他のカテゴリの情報i2とが関連付けられている場合、情報i2を尺度（定規）として、情報i1どうしの関係を表すグラフ（ネットワーク関係図）である関係グラフを生成することができる。
【０２４７】
ここで、情報i1とi2とが関連付けられているDBについては、上述の場合とは逆に、情報i1を尺度として、情報i2どうしの関係を表す関係グラフも生成することもできる。
【０２４８】
また、関係グラフの生成には、情報i1とi2とが明示的に関連付けられているDBの他、情報i1とi2とが暗黙的に関連付けられているDBも用いることができる。
【０２４９】
ここで、例えば、情報i1が、観測された植生（の植生名）であり、情報i2が、植生が観測された圃場（の圃場名）である場合、情報i1とi2とが明示的に関連付けられているDBとは、植生と、その植生が観測された圃場とが、対応付けられて登録されているDBである。
【０２５０】
また、情報i1とi2とが暗黙的に関連付けられているDBとは、例えば、「植生#1が圃場#1で観測された」といった自然言語が登録されたDBである。
【０２５１】
グラフ表示制御部７２は、情報i1とi2とが関連付けられているDBから、バイパータイトグラフ（2部グラフ）を生成し、そのバイパータイトグラフから関係グラフを生成する。
【０２５２】
図２４は、DBから生成されるバイパータイトグラフの例を示す図である。
【０２５３】
図２４では、DBとして、植生と、その植生が観測された圃場とが関連付けられている植生／圃場DBが採用されている。
【０２５４】
図２４のバイパータイトグラフは、植生#1が圃場#1ないし#4で観測されたこと、植生#2が圃場#1ないし#4で観測されたこと、植生#3が圃場#3及び#4で観測されたこと、及び、植生#4ないし#6のそれぞれが圃場#4で観測されたこと、を表している。
【０２５５】
以上のようなバイパータイトグラフから、関係グラフを生成するにあたっては、圃場#kを尺度として、植生#iと#jとの関係性（の強さ）を表す関係スコアが求められる（i≠j）。
【０２５６】
図２５は、図２４の植生／圃場DBのバイパータイトグラフから求められる関係スコアの例を示す図である。
【０２５７】
植生#iと他の植生#jとの関係スコアとしては、植生#i及び#jの両方に関連付けられた圃場の数、すなわち、植生#i及び#jの両方が観測された圃場の数に対応する値（例えば、比例する値）を採用することができる。
【０２５８】
図２５では、植生#iと他の植生#jとの関係スコアとして、植生#i及び#jの両方が観測された圃場の数を、圃場の総数（ここでは4）で除算した値が採用されている。
【０２５９】
図２４のバイパータイトグラフによれば、例えば、植生#1については、図２５上側に示すように、植生#2とともに観測された圃場が、圃場#1ないし#3の3個であり、植生#3とともに観測された圃場が、圃場#3の1個であり、植生#4ないし#6とともに観測された圃場は0個である。
【０２６０】
したがって、植生#1については、植生#2との関係スコアは3/4になり、植生#3との関係スコアは1/4になる。さらに、植生#1については、植生#4ないし#6それぞれとの関係スコアは、いずれも0になる。
【０２６１】
同様にして、例えば、図２４の植生#3については、図２５下側に示すように、植生#1との関係スコアは1/4になり、植生#2との関係スコアは2/4(=1/2)になる。さらに、植生#3については、植生#4ないし#6それぞれとの関係スコアは、いずれも、1/4になる。
【０２６２】
グラフ表示制御部７２は、バイパータイトグラフから関係スコアを求め、その関係スコアを用いて、関係グラフを生成し、その関係グラフを表示したグラフ表示画面を生成する。
【０２６３】
図２６は、図２４のバイパータイトグラフ、及び、図２５の関係スコアを用いて生成される関係グラフが表示されたグラフ表示画面の例を示す図である。
【０２６４】
関係グラフは、図中丸印で示されるノードと、ノードどうしを接続する線分で示されるリンクとで構成される。
【０２６５】
図２６において、ノードは、植生に対応し、リンクは、ノードどうし、すなわち、ここでは、植生どうしの関係性を表す。
【０２６６】
図２６の関係グラフは、植生#1のノード（植生#1に対応するノード）を、注目している注目ノードとして、その注目ノードが表す植生#1と、他の植生#2ないし#6それぞれとの関係を表している。
【０２６７】
グラフ表示画面において、関係グラフは、例えば、注目ノード、すなわち、ここでは、植生#1のノードが画面の（ほぼ）中央に位置するように配置される。
【０２６８】
また、関係グラフにおいて、注目ノードである植生#1のノードと、他の植生#2ないし#6のノードとの間のリンクの長さは、図２５に示した、植生#1と、植生#2ないし#6それぞれとの関係スコアに対応する長さになっている。
【０２６９】
すなわち、注目ノードである植生#1のノードと、他の植生#jのノードとの間のリンクの長さは、植生#1と#jとの関係スコアが大きいほど、つまり、植生#1と#jとの関係性が強いほど、短くなっている。
【０２７０】
いまの場合、植生#1と#jとの関係性が強いことは、植生#1と#jとの両方が観測された圃場の数が多いことに相当する。
【０２７１】
したがって、注目ノードである植生#1のノードに近い位置にあるノードが表す植生#jは、植生#1と共生関係にあると推定することができ、図２６の関係グラフを見たユーザは、植生#1と混生密生状態を構築するのに適した植生を、容易に認識（予測）（推定）することができる。
【０２７２】
その結果、図２６の関係グラフによれば、生態系活用の支援の１つとして、植生設計を支援することができる。
【０２７３】
図２６では、植生#1のノードを注目ノードとしたが、グラフ表示画面では、任意のノードを注目ノードに選択することができる。
【０２７４】
すなわち、端末１２において、表示部３５にグラフ表示画面が表示されている場合において、ユーザが、操作部３４を操作して、例えば、植生#3のノードを選択すると、表示制御部５２は、植生#3のノードを注目ノードとした関係グラフが表示されたグラフ表示画面を表示する。
【０２７５】
図２７は、植生#3のノードを注目ノードとした関係グラフが表示されたグラフ表示画面の例を示す図である。
【０２７６】
図２７のグラフ表示画面では、関係グラフは、注目ノードである植生#3のノードが画面の中央に位置するように配置されている。
【０２７７】
また、関係グラフにおいて、注目ノードである植生#3のノードと、他の植生#1，#2，#4ないし#6のノードとの間のリンクの長さは、図２５に示した、植生#3と、植生#1，#2，#4ないし#6それぞれとの関係スコアに対応する長さになっている。
【０２７８】
情報i2を尺度とする情報i1どうしの関係を表す関係グラフでは、情報i1どうしの関係の他、情報i1と、その情報i1に関連付けられた情報i2との関係をも表すことができる。
【０２７９】
すなわち、例えば、図２４で説明した植生／圃場DBから生成される関係グラフでは、植生どうしの関係の他、植生と、その植生に関連付けられた圃場との関係をも表すことができる。
【０２８０】
図２８は、植生どうしの関係の他に、植生と、その植生に関連付けられた圃場との関係が表された関係グラフが表示されたグラフ表示画面の例を示す図である。
【０２８１】
図２８の関係グラフでは、図２６の関係グラフに、植生に関連付けられた圃場のノード（図中、三角形で示す部分）と、植生と圃場との関係を表すリンク（図中、点線で示す部分）とが追加されている。
【０２８２】
すなわち、図２８の関係グラフでは、図２６の関係グラフに、注目ノードが表す植生#1が観測された圃場#1ないし#3それぞれのノード、及び、それらのノードそれぞれと、注目ノードである植生#1のノードとを結ぶリンクが追加されている。
【０２８３】
図２８の関係グラフによれば、ユーザは、図２６の場合と同様に、植生#1と混生密生状態を構築するのに適した植生を、容易に認識することができる他、植生#1が観測された圃場を、容易に認識することができる。
【０２８４】
この場合、ユーザは、植生#1が観測された圃場の環境を、協生農法DBにアクセスして調べることにより、植生#1が観測される環境を推定することができる。
【０２８５】
ここで、関係グラフに、植生と圃場のような、異なるカテゴリの情報のノードを表す場合には、植生のノードと圃場のノードとを区別することができるように、ノードを表示することができる。
【０２８６】
すなわち、植生のノードと圃場のノードとは、例えば、色や、大きさ、形状、模様等として異なるものを採用して表示することができる。
【０２８７】
図２８に示したように、植生どうしの関係の他に、植生と、その植生に関連付けられた圃場との関係が表された関係グラフが表示されたグラフ表示画面については、図２７で説明したように、注目ノードとして、植生のノードを選択することができる他、圃場のノードを選択することができる。
【０２８８】
すなわち、端末１２において、表示部３５に、図２８のグラフ表示画面が表示されている場合において、ユーザが、操作部３４を操作して、圃場のノードを選択すると、表示制御部５２は、ユーザが選択した圃場のノードを注目ノードとした関係グラフが表示されたグラフ表示画面を表示する。
【０２８９】
圃場のノードを注目ノードとした関係グラフは、植生／圃場DBにおいて圃場に関連付けられた植生を尺度として、圃場どうしの関係を表す。そのため、圃場のノードを注目ノードとした関係グラフが表示されたグラフ表示画面が表示される場合には、植生#kを尺度として、圃場#iと#jとの関係性を表す関係スコアが求められる（i≠j）。
【０２９０】
図２９は、図２４のバイパータイトグラフから求められる関係スコアの例を示す図である。
【０２９１】
なお、図２５では、植生どうしの関係スコアを示したが、図２９は、圃場どうしの関係スコアを示している。
【０２９２】
圃場#iと他の圃場#jとの関係スコアとしては、圃場#i及び#jの両方に関連付けられた植生の数、すなわち、圃場#i及び#jの両方で観測された植生の数に対応する値（例えば、比例する値）を採用することができる。
【０２９３】
図２９では、圃場#iと他の圃場#jとの関係スコアとして、圃場#i及び#jの両方で観測された植生の数を、植生の総数（ここでは6）で除算した値が採用されている。
【０２９４】
図２４のバイパータイトグラフによれば、例えば、圃場#1については、図２９上側に示すように、圃場#1及び#2の両方で観測された植生が、植生#1及び#2の2個であり、圃場#1及び#3の両方で観測された植生が、植生#1の1個であり、圃場#1及び#4の両方で観測された植生は0個である。
【０２９５】
したがって、圃場#1については、圃場#2との関係スコアは2/6(=1/3)になり、圃場#3との関係スコアは1/6になる。さらに、圃場#1については、圃場#4との関係スコアは0になる。
【０２９６】
同様にして、例えば、図２４の圃場#3については、図２９下側に示すように、圃場#1，#2，#4それぞれとの関係スコアは、いずれも、2/6になる。
【０２９７】
グラフ表示制御部７２は、バイパータイトスコアから関係スコアを求め、その関係スコアを用いて、関係グラフを生成し、その関係グラフを表示したグラフ表示画面を生成する。
【０２９８】
図３０は、図２９の関係スコアを用いて生成される関係グラフが表示されたグラフ表示画面の例を示す図である。
【０２９９】
すなわち、図３０は、例えば、図２８の関係グラフにおいて、ユーザが、圃場#1のノードを注目ノードに選択した場合に表示される関係グラフのグラフ表示画面の例を示している。
【０３００】
図３０の関係グラフでは、圃場#1のノードを注目ノードとして、その注目ノードが表す圃場#1と、他の圃場#2ないし#4それぞれとの関係が表されている。
【０３０１】
グラフ表示画面において、関係グラフは、図２６で説明したように、注目ノードである圃場#1のノードが画面の中央に位置するように配置されている。
【０３０２】
また、図３０の関係グラフにおいて、注目ノードである圃場#1のノードと、他の圃場#2ないし#4それぞれのノードとの間のリンクの長さは、図２９に示した、圃場#1と、圃場#2ないし#4それぞれとの関係スコアに対応する長さになっている。
【０３０３】
すなわち、注目ノードである圃場#1のノードと、他の圃場#jのノードとの間のリンクの長さは、圃場#1と#jとの関係スコアが大きいほど、つまり、圃場#1と#jとの関係性が強いほど、短くなっている。
【０３０４】
いまの場合、圃場#1と#jとの関係性が強いことは、圃場#1と#jとの両方で観測された植生の数が多いことに相当する。
【０３０５】
したがって、注目ノードが表す圃場#1と、その注目ノードに近い位置にあるノードが表す圃場#jとは、それらの圃場#1及び#jの両方で観測された植生に適した環境と多くの事項が共通する環境の圃場であると推定することができる。
【０３０６】
その結果、図３０の関係グラフによれば、例えば、ユーザは、圃場#1及び#jに共通する環境を、協生農法DBにアクセスして調べることにより、圃場#1及び#jの両方で観測された植生に適した環境を推定することができる。
【０３０７】
なお、図３０の関係グラフでは、圃場どうしの関係の他、注目ノードが表す圃場#1にリンクする形で、その圃場#1で観測された植生#1及び#2のノードも表示されている。
【０３０８】
ユーザは、操作部３４を操作して、任意のノードを注目ノードに選択することができる。
【０３０９】
いま、図３０の関係グラフにおいて、例えば、圃場#3のノードが、注目ノードに選択されると、表示制御部５２は、圃場#3のノードを注目ノードとした関係グラフが表示されたグラフ表示画面を表示する。
【０３１０】
図３１は、圃場#3のノードを注目ノードとした関係グラフが表示されたグラフ表示画面の例を示す図である。
【０３１１】
図３１のグラフ表示画面では、関係グラフは、注目ノードである圃場#3のノードが画面の中央に位置するように配置されている。
【０３１２】
また、関係グラフにおいて、注目ノードである圃場#3のノードと、他の圃場#1，#2，#4のノードとの間のリンクの長さは、図２９に示した、圃場#3と、圃場#1，#2，#4それぞれとの関係スコアに対応する長さになっている。
【０３１３】
なお、図３１の関係グラフでは、図３０と同様に、圃場どうしの関係の他、注目ノードが表す圃場#3にリンクする形で、その圃場#3で観測された植生#1ないし#3のノードも表示されている。
【０３１４】
図３１の関係グラフにおいて、例えば、植生#1のノードが、注目ノードに新たに選択された場合には、関係グラフは、上述の図２８に示したようになる。
【０３１５】
以上のような関係グラフによれば、ユーザは、例えば、図２８の関係グラフを参照することにより、注目ノードが表す植生#1と共生する他の植生を、容易に認識することができるとともに、注目ノードが表す植生#1が観測される圃場を、容易に認識することができる。
【０３１６】
また、ユーザが、図２８の関係グラフにおいて、注目ノードとして、植生#1以外の植生のノードを新たに選択した場合には、図２６及び図２７で説明したように、その新たに選択したノードを注目ノードとする関係グラフが表示されるので、ユーザは、その新たに注目ノードとなったノードが表す植生と共生する他の植生を、容易に認識することができる。
【０３１７】
さらに、ユーザが、図２８の関係グラフにおいて、注目ノードとして、圃場のノードを選択した場合には、図３０に示したような、圃場どうしの関係と、注目ノードが表す圃場で観測された植生を表す関係グラフが表示されるので、ユーザは、注目ノードが表す圃場で観測されるのと同様の植生が多く観測される圃場や、注目ノードが表す圃場で観測される植生を、容易に認識することができる。
【０３１８】
図３２は、植生／レシピDBから生成されるバイパータイトグラフの例を示す図である。
【０３１９】
ここで、植生／レシピDBは、植生と、その植生を材料とする料理のレシピとが関連付けられているDBである。
【０３２０】
図３２のバイパータイトグラフは、植生#1がレシピ#1ないし#3で観測されたこと（材料になっていること）、植生#2がレシピ#1ないし#3で観測されたこと、植生#3がレシピ#1及び#3で観測されたこと、植生#4及び#5のそれぞれがレシピ#3で観測されたこと、植生#6がレシピ#1ないし#3のいずれでも観測されていないこと、を表している。
【０３２１】
以上のようなバイパータイトグラフから、関係グラフを生成するにあたっては、例えば、レシピ#kを尺度として、植生#iと#jとの関係性（の強さ）を表す関係スコアが求められる（i≠j）。
【０３２２】
図３３は、図３２の植生／レシピDBのバイパータイトグラフから求められる関係スコアの例を示す図である。
【０３２３】
植生#iと他の植生#jとの関係スコアとしては、植生#i及び#jの両方に関連付けられたレシピの数、すなわち、植生#i及び#jの両方が観測されたレシピの数に対応する値を採用することができる。
【０３２４】
図３３では、植生#iと他の植生#jとの関係スコアとして、植生#i及び#jの両方が観測されたレシピの数を、レシピの総数（ここでは3）で除算した値が採用されている。
【０３２５】
図３２のバイパータイトグラフによれば、例えば、植生#1については、植生#2とともに観測されたレシピが、レシピ#1及び#2の2個であり、植生#3とともに観測されたレシピが、レシピ#1及び#3の2個であり、植生#4とともに観測されたレシピが、レシピ#3の1個であり、植生#5とともに観測されたレシピが、レシピ#3の1個であり、レシピ#6とともに観測されたレシピは0個である。
【０３２６】
したがって、植生#1については、植生#2及び#3それぞれとの関係スコアは2/3になり、植生#4及び#5それぞれとの関係スコアは1/3になる。さらに、植生#1については、植生#6との関係スコアは0になる。
【０３２７】
グラフ表示制御部７２は、バイパータイトグラフから関係スコアを求め、その関係スコアを用いて、関係グラフを生成し、その関係グラフを表示したグラフ表示画面を生成する。
【０３２８】
図３４は、図３２のバイパータイトグラフ、及び、図３３の関係スコアを用いて生成される関係グラフが表示されたグラフ表示画面の例を示す図である。
【０３２９】
図３４の関係グラフは、植生#1のノードを、注目ノードとして、その注目ノードが表す植生#1と、他の植生#2ないし#6それぞれとの関係を表している。
【０３３０】
図３４の関係グラフでは、図２８と同様に、植生どうしの関係の他に、植生と、その植生に関連付けられたレシピとの関係も表されている。
【０３３１】
さらに、図３４の関係グラフでは、上述した植生／圃場DBのバイパータイトグラフから求められた関係グラフと同様に、注目ノードである植生#1のノードと、他の植生#2ないし#6のノードとの間のリンクの長さは、図３３に示した、植生#1と、植生#2ないし#6それぞれとの関係スコアに対応する長さになっている。
【０３３２】
すなわち、注目ノードである植生#1のノードと、他の植生#jのノードとの間のリンクの長さは、植生#1と#jとの関係スコアが大きいほど、つまり、植生#1と#jとの関係性が強いほど、短くなっている。
【０３３３】
いまの場合、植生#1と#jとの関係性が強いことは、植生#1と#jとの両方が観測されたレシピの数が多いことに相当する。
【０３３４】
したがって、注目ノードである植生#1のノードに近い位置にあるノードが表す植生#jは、植生#1と一緒に、料理に使われることが多いと推定することができ、図３４の関係グラフを見たユーザは、植生#1と一緒に料理に使われることが多い植生を、容易に認識することができる。
【０３３５】
なお、例えば、トマトとバジルとは、一緒に料理に使われることが多いが、このように一緒に料理に使われることが多い植生どうしは、共生関係にあることがある。
【０３３６】
図３４の関係グラフについても、ユーザは、操作部３４を操作して、植生#1以外の植生のノードを注目ノードとして選択し、その選択した植生のノードを注目ノードとする関係グラフを表示させることができる。
【０３３７】
また、ユーザは、注目ノードとして、レシピのノードを選択し、その選択したレシピのノードを注目ノードとする関係グラフを表示させることができる。
【０３３８】
この場合、注目ノードであるレシピのノードに近い位置にあるノードが表すレシピは、注目ノードが表すレシピと一緒に使われる植生が多いことを表す。
【０３３９】
関係グラフは、以上のような植生／圃場DBや植生／レシピDB（のバイパータイトグラフ）から生成する他、植生とその他の任意の情報とが関連付けられたDBから生成することができる。
【０３４０】
また、関係グラフは、植生以外の（生物）種(species)と、その種以外の他の情報とが関連付けられたDBから生成することができる。
【０３４１】
さらに、関係グラフは、植生／圃場DBや植生／レシピDB等の1個のDBから生成する他、第１のDB及び第２のDB等の複数のDBから生成することができる。
【０３４２】
図３５は、上述の植生／圃場DB及び植生／レシピDBの2個のDBから生成されるバイパータイトグラフの例を示す図である。
【０３４３】
図３５の関係グラフは、植生#1のノードを、注目ノードとして、その注目ノードが表す植生#1と、他の植生#2ないし#6それぞれとの関係を表している。
【０３４４】
図３５の関係グラフでは、植生どうしの関係の他に、植生と、その植生に関連付けられた圃場及びレシピそれぞれとの関係も表されている。
【０３４５】
図３５の関係グラフにおいて、注目ノードである植生#1と、他の植生#2ないし#6それぞれとの関係スコアは、植生／圃場DBにおいて、植生#iと関連付けられている圃場#kを尺度として求めることもできるし、植生／レシピDBにおいて、植生#iと関連付けられているレシピ#kを尺度として求めることもできる。
【０３４６】
さらに、注目ノードである植生#1と、他の植生#2ないし#6それぞれとの関係スコアは、植生／圃場DBにおいて、植生#iと関連付けられている圃場#kと、植生／レシピDBにおいて、植生#iと関連付けられているレシピ#kとの両方を尺度として求めることもできる。
【０３４７】
注目ノードである植生#1と、他の植生#2ないし#6それぞれとの関係スコアを、圃場#kとレシピ#kとの両方を尺度として求める場合には、例えば、圃場#kを尺度として求められる関係スコアと、レシピ#kを尺度として求められる関係スコアとの平均値等の重み付け加算値を、注目ノードである植生#1と、他の植生#2ないし#6それぞれとの関係スコアとして求めることができる。
【０３４８】
なお、注目ノードが表す情報である、例えば、植生#iについては、関係グラフが表す、その植生#iと他の植生#jとの関係、すなわち、植生#iと他の植生#jとの関係スコアに基づいて、植生#iに対して、他の植生#jすべてをランキング付けすることができる。
【０３４９】
関係グラフにおいて、注目ノードが表す植生#iに近い他の植生#jほど、ランキングの高い植生となる。
【０３５０】
さらに、上述の場合には、例えば、植生／圃場DBについて、植生#i及び#jの両方が観測された圃場の数に対応する値を、植生#i及び#jの関係スコアとして採用したが、植生#i及び#jの関係スコアとしては、その他、例えば、植生#i及び#jの両方が同一の圃場で観測された回数や、植生#iが観測された圃場と植生#jが観測された圃場との近さ等の、植生／圃場DBにおいて、植生と関連付けられている圃場を尺度とする任意の値を採用することができる。
【０３５１】
また、関係グラフは、様々なファクタに基づき、表示を制御することができる。
【０３５２】
例えば、植生どうしの関係を表す関係グラフにおいては、ランキングの高い植生ほど、その植生のノードと注目ノードとの間のリンクを太く表示することや、そのリンクの色を変えて表示することができる。
【０３５３】
さらに、例えば、植生／圃場DBから生成される関係グラフにおいては、注目ノードが表す植生#iが観測された回数が多い圃場#kのノードほど、大きさを大きくすることや、注目ノードに近い位置に配置することができる。
【０３５４】
また、植生どうしの関係を表す関係グラフにおいては、観測された回数が多い植生#iほど、その植生#iのノードの大きさを大きくすることができる。
【０３５５】
さらに、例えば、植生／レシピDBから生成される関係グラフにおいては、注目ノードが表す植生#iが使用される量が多いレシピのノードほど、大きさを大きくすることや、注目ノードに近い位置に配置することができる。
【０３５６】
また、例えば、植生どうしの関係を表す関係グラフにおいては、注目ノードが表す植生#iとの関係性が強い（関係スコアが大きい）植生#jのノードが、注目ノードに近づくとともに、注目ノードが表す植生#iとの関係性が弱い（関係スコアが小さい）植生#j'のノードが、注目ノードから遠ざかるようなアニメーション表示を行うことができる。
【０３５７】
さらに、例えば、植生どうしの関係を表す関係グラフにおいては、植生／圃場DBや植生／レシピDBに登録されている植生のノードについては、すべての植生のノードを表示する他、注目ノードである植生#iのノードと、その植生#iとの関係スコアが0より大の植生#jのノード、すなわち、植生#iとともに観測された圃場#kが存在する植生#jのノードとだけを表示することができる。
【０３５８】
この場合、関係グラフを構成する植生のノードが制限されるので、植生のノードが多数表示されることによって、関係グラフが見にくくなることを防止することができる。
【０３５９】
図３６は、グラフ表示制御部７２（又は取得部５１）で関係グラフを生成するのに用いるDBの例を示す図である。
【０３６０】
関係グラフは、サーバ１３のストレージ６３に登録されている協生農法DB（を構成する各種のDB）を用いて生成することができる。
【０３６１】
また、関係グラフは、インターネット２４上の、例えば、種と他の情報とが関連付けられたDB等の様々なDBを用いて生成することができる。
【０３６２】
すなわち、関係グラフは、インターネット２４上の、書籍のDBである書籍DBや、webページで提供されるDBであるウェブDBや、webページ、学術的な情報が登録されたアカデミックDB、栄養学の情報が登録された栄養学DB等の様々なDBを用いて生成することができる。
【０３６３】
端末１２のユーザは、操作部３４を操作することにより、関係グラフを生成するのに用いるDBを選択することができる。
【０３６４】
すなわち、操作部３４の操作に応じて、例えば、図３６に示した複数のDBの中から、関係グラフの生成に用いるDBが選択される。
【０３６５】
ここで、以上のように、複数のDBの中から、関係グラフの生成に用いるDBを選択することができる場合には、いま表示されている関係グラフが、どのDBの関係グラフであるのか（どのDBを用いて生成された関係グラフであるのか）が、ユーザに分かりにくくなることがあり得る。
【０３６６】
そこで、関係グラフの生成に用いるDBの選択（切り替え）に応じて、関係グラフの背景色や、ノードの形状、ノードの色等のうちの１以上を変更することができる。
【０３６７】
また、端末１２において、関係グラフの生成に用いるDBの選択に応じて、異なる音を、スピーカ３６から出力させることができる。
【０３６８】
以上により、ユーザは、関係グラフの生成に、どのDBが用いられているのかを認識することができる。
【０３６９】
図３７は、関係グラフが表示されるグラフ表示画面の構成例を示す図である。
【０３７０】
グラフ表示画面は、グラフ表示領域２０１とリスト表示領域２０２とで構成することができる。
【０３７１】
図３７では、リスト表示領域２０２は、グラフ表示領域２０１の左側に配置されている。
【０３７２】
グラフ表示領域２０１には、関係グラフが表示される。
【０３７３】
さらに、グラフ表示領域２０１には、俯瞰表示領域２１１を設けることができる。
【０３７４】
図３７では、グラフ表示領域２０１の右下に、俯瞰表示領域２１１が設けられている。
【０３７５】
俯瞰表示領域２１１には、関係グラフの生成に用いられた、情報i1と情報i2とが関連付けられたDBに登録された情報i1すべてのノードが存在する関係グラフの全体が表示される。
【０３７６】
DBに登録された情報i1すべてのノードが存在する関係グラフの全体は、ノードの数が膨大となることがあり、そのような関係グラフの全体を、グラフ表示領域２０１に表示したのでは、関係グラフが見にくくなるおそれがある。
【０３７７】
そこで、グラフ表示領域２０１には、関係グラフの全体の一部分を、大きく表示することができる。この場合、俯瞰表示領域２１１には、その俯瞰表示領域２１１に表示されている関係グラフの全体のうちの、グラフ表示領域２０１に表示されている一部分を表す表示枠２１２を表示することができる。
【０３７８】
表示枠２１２によれば、ユーザは、関係グラフの全体のどの部分が、グラフ表示領域２０１に表示されているかを、容易に認識することができる。
【０３７９】
リスト表示領域２０２には、ランキングリストが表示される。
【０３８０】
ここで、例えば、図３５で説明したように、植生#iと他の植生#jとの関係を表す関係グラフ（関係スコア）によれば、植生#iと他の植生#jとの関係、すなわち、植生#iと他の植生#jとの関係スコアに基づいて、植生#iに対して、他の植生#jすべてをランキング付けすることができる。
【０３８１】
リスト表示領域２０２には、そのような植生#jをランキング付けした植生（の植生名）のリストであるランキングリストが表示される。
【０３８２】
なお、俯瞰表示領域２１１の表示や、ランキングリストの表示は、ユーザによる操作部３４の操作に応じて、オン／オフすることができる。
【０３８３】
以上のようなグラフ表示画面は、例えば、オープンソースソフトウェアパッケージであるGephiを用いて生成することができる。
【０３８４】
図３８は、Gephiによるグラフ表示画面の例を示す図である。
【０３８５】
図３８において（後述する図３９ないし図４１においても同様）、白丸は、植生のノードを表し、黒丸は、圃場のノードを表す。
【０３８６】
図３８のグラフ表示画面においては、植生／圃場DBを用いて生成された関係グラフが、植生"Diospyros"のノードを注目ノードとして、グラフ表示領域２０１に表示されている。
【０３８７】
また、図３８のグラフ表示画面においては、注目ノードが表す植生"Diospyros"に対してランキング付けした他の植生のランキングリストが、リスト表示領域２０２に表示されている。
【０３８８】
なお、ランキングリストにおいては、植生の他に、注目ノードが表す植生"Diospyros"が観測された圃場も表示することができる。
【０３８９】
図３８では、ランキングリストにおいて、注目ノードが表す植生"Diospyros"が観測された圃場（及び日付）"20120329ise"と"20110402-20110403oiso"が、植生"Apis mellifera Linnaeus, 1758"の直後に表示されている。
【０３９０】
図３９は、図３８の関係グラフにおいて、注目ノードが表す植生"Diospyros"が観測された圃場"20120329ise"を、新たな注目ノードの選択した場合のGephiによるグラフ表示画面の例を示す図である。
【０３９１】
図４０は、Gephiによるグラフ表示画面の他の例を示す図である。
【０３９２】
Gephiの上部には、検索ボックスが設けられており、ユーザが、検索ボックスをクリック（又はタップ）すると、ノードが表す植生と圃場の一覧がプルダウンする形で表示される。ユーザは、その一覧の中から、植生又は圃場を選択することにより、その選択された植生又は圃場のノードを、注目ノードとすることができる。
【０３９３】
図４１は、Gephiによるグラフ表示画面のさらに他の例を示す図である。
【０３９４】
図４１では、俯瞰表示領域２１１に表示された関係グラフの全体のうちの、グラフ表示領域２０１に表示された関係グラフの部分を示すように、表示枠２１２が表示されている。
【０３９５】
なお、関係グラフについては、端末１２のユーザに関するユーザプロファイルを、例えば、端末１２のストレージ３３等に登録しておき、そのユーザプロファイルに基づいて、関係グラフを変更することができる。
【０３９６】
例えば、ユーザプロファイルに基づいて、ユーザが植生等の種(species)に携わっている経験年数（例えば、ユーザが農業に携わっている経験年数等）を認識することができる場合には、その経験年数に基づいて、関係グラフ（の表示）を変更することができる。
【０３９７】
具体的には、例えば、経験年数が長い学者レベルのユーザについては、DBに登録された植生すべてのノードを有する関係グラフを表示し、経験年数が浅い（又は）０の初心者レベルのユーザについては、DBに登録された植生のうちの、例えば、ランキングがベスト３の植生（関係スコアが高い上位３位の植生）のノードに限定した関係グラフを表示することができる。初心者レベルのユーザには、多くの植生（のノード）を表示すると、混乱するおそれがあり、その混乱を防止するためである。
【０３９８】
また、関係グラフについては、ユーザプロファイルに基づいて、関係グラフを生成するのに用いるDBを選択することができる。
【０３９９】
具体的には、例えば、ユーザプロファイルに基づいて、ユーザが主婦であることを認識することができる場合には、関係グラフの生成に、主婦向けのDBとしての、例えば、植生／レシピDBを選択することができる。また、例えば、ユーザプロファイルに基づいて、ユーザが農業従事者であることを認識することができる場合には、関係グラフの生成に、農業従事者向けのDBとしての、例えば、植生／圃場DBを選択することができる。
【０４００】
さらに、関係グラフの生成に用いるDBに登録されている植生等の種に関するコンテンツプロファイルが、例えば、インターネット２４上のサイト等に存在する場合には、そのコンテンツプロファイルに基づいて、関係グラフを変更することができる。
【０４０１】
例えば、ユーザプロファイルに基づいて、ユーザの経験年数を認識することができるとともに、コンテンツプロファイルに基づいて、DBに登録されている植生の知名度や希少性を認識することができる場合には、経験年数が長い学者レベルのユーザについては、DBに登録されている植生のうちの、知名度が低い植生や希少性が高い植生だけを選択して、その選択した植生のノードに限定した関係グラフを表示することができる。学者レベルのユーザは、知名度が高い植生や、希少性が低い植生には、それほど興味がないと思われるからである。
【０４０２】
一方、経験年数が浅い初心者レベルのユーザについては、DBに登録されている植生のうちの、知名度が高い植生や希少性が低い植生だけを選択して、その選択した植生のノードに限定した関係グラフを表示することができる。初心者レベルのユーザは、知名度が低い植生や、希少性が高い植生には、それほど興味がないと思われるからである。
【０４０３】
また、植生等の種が登録されたDBを用いて生成される関係グラフについては、ユーザプロファイルやコンテンツプロファイルに基づいて、種どうしの関係、すなわち、関係スコアを補正することができる。
【０４０４】
例えば、ユーザプロファイルに基づいて、ユーザの経験年数を認識することができるとともに、コンテンツプロファイルに基づいて、DBに登録されている植生の知名度や希少性を認識することができる場合には、経験年数が長い学者レベルのユーザについては、DBに登録されている植生のうちの、知名度が低い植生や希少性が高い植生の関係スコアを高くするように補正することができる。
【０４０５】
この場合、ランキングリストにおいて、知名度が低い植生や希少性が高い植生は、より上位にランキングされ、関係グラフにおいて、注目ノードに近い位置に表示される。
【０４０６】
一方、経験年数が浅い初心者レベルのユーザについては、DBに登録されている植生のうちの、知名度が高い植生や希少性が低い植生の関係スコアを高くするように補正することができる。
【０４０７】
この場合、ランキングリストにおいて、知名度が高い植生や希少性が低い植生は、より上位にランキングされ、関係グラフにおいて、注目ノードに近い位置に表示される。
【０４０８】
図４２は、グラフ表示画面を表示する処理の例を説明するフローチャートである。
【０４０９】
ステップＳ２０１において、端末１２のユーザは、操作部３４を操作することにより、複数のDBの中から、関係グラフを生成するのに用いるDBである注目DBを選択する。
【０４１０】
ステップＳ２０２において、端末１２の通信部４０は、注目DBの情報（注目DBを表す情報）を、サーバ１３に送信する。
【０４１１】
サーバ１３の通信部６７は、端末１２からの注目DBの情報を受信し、ステップＳ２１１において、グラフ表示制御部７２は、注目DBにアクセスして、その注目DBからバイパータイトグラフを生成する。
【０４１２】
ステップＳ２１２において、グラフ表示制御部７２は、注目DBのバイパータイトグラフから、関係グラフを表示したグラフ表示画面を生成する。
【０４１３】
ステップＳ２１３において、通信部６７は、グラフ表示制御部７２が生成したグラフ表示画面を、端末１２に送信する。
【０４１４】
ステップＳ２０３において、端末１２の通信部４０は、サーバ１３からのグラフ表示画面を受信し、取得部５１は、そのグラフ表示画面を取得する。
【０４１５】
ステップＳ２０４において、端末１２の表示制御部５２は、取得部５１が取得したグラフ表示画面を、表示部３５に表示する。
【０４１６】
なお、上述の場合には、サーバ１３において、注目DBのバイパータイトグラフから、グラフ表示画面を生成し、端末１２に送信したが、サーバ１３では、注目DBのバイパータイトグラフを、端末１２に送信し、端末１２では、取得部５１において、サーバ１３からのバイパータイトグラフから、グラフ表示画面を生成することにより取得することができる。
【０４１７】
以上のように、種(species)と種以外の他の情報とが関連付けられたDBから得られる、他の情報を尺度とする種どうしの関係を表す、ノードとリンクで構成される関係グラフを表示する場合には、ユーザは、種どうしの関係を、知識として得て、その知識を、協生農法等の生態系活用に利用することができる。
【０４１８】
＜センサデータとシンボルとの関連付け＞
【０４１９】
図４３は、センサでのセンシングで得られるセンサデータの例を示す図である。
【０４２０】
すなわち、図４３は、アメダスでセンシング（観測）されたセンサデータであるアメダスデータを示している。
【０４２１】
図４３では、アメダスデータとして、平均気温や、日照時間、降水量等の10種類のデータがあり、図４３は、10種類のアメダスデータのうちの平均気温(MeanTemp)とその他の9種類のデータとを、それぞれ、横軸と縦軸とにとってプロットした図である。図４３において、9種類のデータとしての縦軸は、左上から右方向の順番で、最高気温(MaxTemp)、日照時間(DayLength)、平均蒸気圧(MeanVaporPressure)、最低気温(MinTemp)、全天日射量(GlovalSolarRadiation)、平均大気圧(MeanAtmosphricPressure)、1日の降水量(DailyPrecipitation)、平均風速(MeanWindSpeed)、及び、平均湿度(MeanHumidity)を、それぞれ表す。
【０４２２】
図４３から明らかなように、平均気温とその他の9種類のデータとの組には、明確な相関がある組や、そうでない組がある。
【０４２３】
例えば、ある日に、ある昆虫や植生等の種sを観測した場合に、その観測した種sに、その日のアメダスデータdを関連付けることで、すなわち、種sが観測されたことを表すシンボル（記号）としての、例えば、種sの種名と、アメダスデータdとを対応付けて登録することで、気象条件がアメダスデータdであるときに、種sが観測されたという情報を保存することができる。
【０４２４】
しかしながら、気象条件が、アメダスデータdから多少はずれたアメダスデータd'であるときでも、種sが観測されることがあり得る。
【０４２５】
したがって、種sと、その種sが観測される気象条件を表すアメダスデータとの関連付けは、種sが観測されたことを表すシンボルと、アメダスデータdだけとを対応付けて登録するだけでは、十分であるとは言えない。
【０４２６】
そこで、サーバ１３の関連付け部７６は、アメダスデータについて、そのアメダスデータを用いたボロノイ分割を行い、その結果得られるボロノイ図上のボロノイ領域と、種が観測されたことを表すシンボルとを対応付けて登録することにより、種が観測されたことを表すシンボル（ある種が観測されたという生物多様性のデータ）と、アメダスデータとの十分な関連付けを行う。
【０４２７】
図４４は、アメダスデータを用いたボロノイ分割により得られるボロノイ図の例を示す図である。
【０４２８】
図４４では、1年分（365日）の各日の10種類のアメダスデータを主成分分析し、第1主成分を横軸とするとともに、第2主成分を縦軸とする2次元平面に、1年分のアメダスデータ（白丸で示す）がプロットされている。
【０４２９】
さらに、図４４では、ボロノイ分割は、1年のうちの、種を観測した観測日である種観測日のアメダスデータを母点として行われている。
【０４３０】
すなわち、いま、端末１２のユーザによって、1年のうちのある100日を種観測日として、種の観測が行われ、その100日の種観測日における観測値として、観測がされた種を表すシンボルが、サーバ１３のストレージ６３に登録されていることとする。
【０４３１】
サーバ１３の関連付け部７６は、インターネット２４上のサイトから、1年分のアメダスデータを取得し、アメダスデータを主成分分析する。さらに、関連付け部７６は、アメダスデータの主成分分析の結果得られる第1主成分及び第2主成分を、それぞれ横軸及び縦軸とする2次元平面に、1年分のアメダスデータのうちの、種観測日のアメダスデータをプロットし、その種観測日のアメダスデータを母点として、2次元平面のボロノイ分割を行う。
【０４３２】
図４４は、以上のようなボロノイ分割の結果得られたボロノイ図を示している。
【０４３３】
ボロノイ図によれば、母点に対するボロノイ領域に対応するアメダスデータと、母点に対応するアメダスデータが観測された種観測日にユーザが観測した種を表すシンボルとを関連付けることができる。
【０４３４】
サーバ１３において、関連付け部７６は、ボロノイ図に基づいて、母点に対するボロノイ領域に対応するアメダスデータと、母点に対応するアメダスデータが観測された種観測日にユーザが観測した種を表すシンボルとを関連付けたアメダスデータ／種DBを生成し、ストレージ６３に登録する。
【０４３５】
以上のようにして、ストレージ６３に登録されたアメダスデータ／種DBは、上述した関係グラフの生成に用いることができる。すなわち、アメダスデータ／種DBによれば、例えば、種に関連付けられたアメダスデータ（に対応するボロノイ領域）を尺度とする種どうしの関係を表す関係グラフを生成することができる。
【０４３６】
また、サーバ１３では、解析部７７が、ボロノイ図を解析し、生態系活用の支援に役立つ様々な情報を、端末１２に提供する。
【０４３７】
図４５は、図４４で説明したようにして得られるボロノイ図の例を示す図である。
【０４３８】
図４５は、図４４と同様のボロノイ図であるが、図４４では、1年分のアメダスデータがプロットされているのに対して、図４５では、その1年分のアメダスデータのうちの、種観測日のアメダスデータ、すなわち、母点となっているアメダスデータ（白丸で示す）だけがプロットされている。
【０４３９】
図４５では、白いボロノイ領域ほど、そのボロノイ領域の母点に対応するアメダスデータが観測された種観測日にユーザが観測した種の数が多いことを表す。
【０４４０】
解析部７７は、例えば、各ボロノイ領域において母点となっているアメダスデータが観測された種観測日にユーザが観測した種を、種リストとしてリストアップする。
【０４４１】
さらに、解析部７７は、例えば、種リストに基づいて、ある種sが（多く）観測されているボロノイ領域が集まっている領域R11を検出し、その領域R11に対応するアメダスデータを、種sの（気象条件の）ニッチとして推定する。
【０４４２】
そして、解析部７７は、種sのニッチとしてのアメダスデータが観測される日に、種sが観測されやすいことを示唆する示唆メッセージを生成し、通信部６７から端末１２に送信させる。
【０４４３】
端末１２では、サーバ１３からの示唆メッセージが提示される（表示部３５で表示され、あるいは、スピーカ３６から音声で出力される）。この場合、端末１２のユーザに、種sを観測することのインセンティブを与えることができる。
【０４４４】
また、解析部７７は、例えば、種リストに基づいて、観測されている種が少ない（又は、ない）ボロノイ領域が集まっている領域R12を検出する。
【０４４５】
そして、解析部７７は、領域R12に対応するアメダスデータが観測される日に、種の観測を要求する要求メッセージを生成し、通信部６７から端末１２に送信させる。
【０４４６】
端末１２では、サーバ１３からの要求メッセージが提示される。この場合、端末１２のユーザに、領域R12に対応するアメダスデータが観測される気象条件での種の観測を促進することができる。
【０４４７】
図４６は、ボロノイ図に基づく種の（気象条件の）ニッチの推定の第１の例を説明する図である。
【０４４８】
図４５で説明したように、解析部７７において、各ボロノイ領域において母点となっているアメダスデータが観測された種観測日にユーザが観測した種を、種リストとしてリストアップし、その種リストに基づいて、ある種sが多く観測されているボロノイ領域が集まっている領域R21を検出することにより、その領域R21に対応するアメダスデータを、種sの（気象条件の）ニッチとして推定することができる。
【０４４９】
図４６は、図４５と同様のボロノイ図であり、領域R21は、種「イチモンジセセリ」のニッチ（の推定結果）を表す。
【０４５０】
図４７は、ボロノイ図に基づく種のニッチの推定の第２の例を説明する図である。
【０４５１】
図４７は、図４５と同様のボロノイ図であり、領域R31は、種「オニノゲシ」のニッチを表す。
【０４５２】
解析部７７は、上述のようにして、様々な種のニッチを推定し、そのニッチを表すニッチ情報を、通信部６７からユーザ端末１２に送信させ、ユーザに提示することができる。
【０４５３】
また、解析部７７では、以上のように、ボロノイ図に基づいて、様々な種のニッチを推定することにより、種どうしの共起（ここでは、異なる種が同時に出現すること）を推定することができる。
【０４５４】
図４８は、ボロノイ図に基づく種どうしの共起の推定の例を示す図である。
【０４５５】
図４８は、図４５と同様のボロノイ図であり、領域R21は、図４６に示した種「イチモンジセセリ」のニッチを表す。また、領域R31は、図４７に示した種「オニノゲシ」のニッチを表す。
【０４５６】
解析部７７は、領域R21及びR31が重なる重なり領域がある場合、その重なり領域に対応するアメダスデータを、種「イチモンジセセリ」及び「オニノゲシ」が共起する気象条件として推定する。
【０４５７】
そして、解析部７７は、種「イチモンジセセリ」及び「オニノゲシ」が共起することや、種「イチモンジセセリ」及び「オニノゲシ」が共起する気象条件としてのアメダスデータ等の共起情報を、通信部６７から端末１２に送信させ、ユーザに提示することができる。
【０４５８】
なお、ボロノイ図によれば、上述したようなニッチ等を表す領域どうしの重なりから、種どうしの共起の推定の他、捕食や片利共生の関係等の推定を行うことができる。
【０４５９】
図４９は、上のようなボロノイ図の生成と解析の処理の例を説明するフローチャートである。
【０４６０】
ステップＳ２３１において、サーバ２３１の関連付け部７６は、アメダスデータと、端末１２のユーザによる種の観測値（種を表すシンボル）とを取得する。
【０４６１】
ステップＳ２３２において、関連付け部７６は、アメダスデータを主成分分析し、第1主成分及び第2主成分を求める。
【０４６２】
ステップＳ２３３において、関連付け部７６は、アメダスデータの主成分分析の結果得られる第1主成分及び第2主成分を、それぞれ横軸及び縦軸とする2次元平面に、ユーザが種を観測した種観測日のアメダスデータをプロットし、その種観測日のアメダスデータを母点として、2次元平面のボロノイ分割を行う。
【０４６３】
ステップＳ２３４において、関連付け部７６は、ボロノイ図に基づいて、母点に対するボロノイ領域に対応するアメダスデータと、母点に対応するアメダスデータが観測された種観測日にユーザが観測した種を表すシンボルとを関連付けたアメダスデータ／種DBを生成し、ストレージ６３に登録する。
【０４６４】
ステップＳ２３５において、サーバ１３の解析部７７は、ボロノイ図を解析し、上述した示唆メッセージや要求メッセージといったアドバイス情報、ニッチ情報、共起情報を生成する。
【０４６５】
ステップＳ２３６において、解析部７７は、通信部６７から、アドバイス情報や、ニッチ情報、共起情報を、端末１２に送信する。
【０４６６】
端末１２では、通信部４０が、サーバ１３からのアドバイス情報や、ニッチ情報、共起情報を受信する。
【０４６７】
そして、ステップＳ２２１において、取得部５１が、通信部４０から、アドバイス情報や、ニッチ情報、共起情報を取得する。
【０４６８】
その後、ステップＳ２２２において、表示制御部５２が、取得部５１が取得したアドバイス情報や、ニッチ情報、共起情報を、表示部３５に表示する。
【０４６９】
以上のように、センサデータとしてのアメダスデータについて、そのアメダスデータを用いたボロノイ分割を行うことにより、種が観測されたことを表すシンボル（ある種が観測されたという生物多様性のデータ）と、アメダスデータとの十分な関連付け（センサデータとシンボルとの統合）を行うことができる。
【０４７０】
なお、以上のようなボロノイ分割によるセンサデータとシンボルとの関連付けは、アメダスデータ及び種（名）をそれぞれセンサデータ及びシンボルとして行う他、任意のセンサデータ及びシンボルを対象として行うことができる。
【０４７１】
例えば、ボロノイ分割は、イコライザでの周波数の重みをセンサデータとするとともに、そのイコライザを介した楽曲を聴いたユーザの感想（例えば、「落ち着く」や「いらいらする」等）をシンボルとして、そのようなセンサデータとシンボルとの関連付けに適用することができる。この場合、ボロノイ分割により得られる関連付けに基づいて、例えば、ユーザが「落ち着く」と感じるような楽曲となるように、イコライザでの周波数の重みの自動制御を行うことができる。
【０４７２】
また、ボロノイ分割は、例えば、気温及び湿度をセンサデータとするとともに、その気温及び湿度の部屋にいるユーザの感想（例えば、「寒い」や「じめじめする」、「心地よい」等）をシンボルとして、そのようなセンサデータとシンボルとの関連付けに適用することができる。この場合、ボロノイ分割により得られる関連付けに基づいて、例えば、ユーザが「心地よい」と感じるような気温及び湿度となるように、エアコンディショナの自動制御を行うことができる。
【０４７３】
さらに、ボロノイ分割は、例えば、イメージセンサで撮影された様々な被写体の画像の特徴量をセンサデータとするとともに、その被写体を表すタグ（例えば、「笑顔」や、「ビル」、「山」等）をシンボルとして、そのようなセンサデータとシンボルとの関連付けに適用することができる。この関連付けは、例えば、被写体が「笑顔」である場合に撮影を行うディジタルカメラの、いわゆるスマイルシャッタの機能に利用することができる。
【０４７４】
なお、ボロノイ分割は、2次元平面ではなく、3次元空間で行うことができる。3次元空間のボロノイ分割は、例えば、アメダスデータの第1主成分ないし第3主成分を用いて行うことができる。
【０４７５】
＜植生分布と関連情報の表示＞
【０４７６】
図５０は、植生分布を表す植生分布画面の表示例を示す図である。
【０４７７】
自然生態系から採取される、例えば、食べられる植生や薬になる植生等の有用植物は、人類の貴重な資源であり、そのような有用植物を探索することは、生態系活用を支援することになる。
【０４７８】
一方、有用植物が存在する場所を明示的に示したのでは、その場所で、有用植物の乱獲が生じるおそれがある。
【０４７９】
そこで、図１の生態系活用システムでは、乱獲を防止しつつ、有用植物の探索を促進するユーザインターフェースを提供する。
【０４８０】
すなわち、サーバ１３において、植生分布表示制御部７８は、例えば、インターネット２４上のサイトから、植生調査等によって得られた植生分布を取得し、その植生分布のうちの、例えば、端末１２の位置を含む所定の範囲を表した植生分布画面を生成する。
【０４８１】
そして、植生分布表示制御部７８は、植生分布画面を、通信部６７から端末１２に送信させる。
【０４８２】
端末１２では、通信部４０が、サーバ１３からの植生分布画面を受信し、取得部５１が、その植生分布画面を取得する。そして、表示制御部５２が、取得部５１が取得した植生分布表示画面を、表示部３５に表示する。
【０４８３】
図５０は、以上のようにして、端末１２の表示部３５に表示される植生分布画面の表示例を示している。
【０４８４】
図５０において、植生分布画面の植生分布は、エリアA11，A12，A13，A14，A15、及び、A16に区分されており、エリアA13及びA16には、アカマツ群が分布している。
【０４８５】
なお、図５０の植生分布画面では、エリアA13及びA16がアカマツ群のエリアであることが表示されているが、エリアA13及びA16がアカマツ群のエリアであることは、例えば、エリアA13やA16が、ユーザによってクリック（又はタップ）等されることにより指定されたときに表示することができる。
【０４８６】
植生分布画面には、端末１２のユーザが移動した移動軌跡を表示することができる。
【０４８７】
図５１は、ユーザの移動軌跡が表示された植生分布画面の表示例を示す図である。
【０４８８】
植生分布画面に、ユーザの移動軌跡を表示することにより、ユーザは、過去に訪れたことがある植生分布上の場所に、容易に再訪することができる。
【０４８９】
また、ユーザは、植生分布上の任意の場所において、端末１２を用いて、任意の情報を、投稿情報として投稿（入力）することができる。あるユーザUが端末１２を用いて投稿した投稿情報は、端末１２からサーバ１３に送信し、サーバ１３において、植生分布に関連する関連情報として、植生分布に関連付けることができる。すなわち、サーバ１３では、ユーザUが投稿した投稿情報を、その投稿情報が投稿された植生分布の位置とユーザUに関連付けることができる。
【０４９０】
例えば、ユーザUが、エリアA13のアカマツ群のある場所（位置）Pで、ネズミモチを見つけた場合に、ユーザUが、端末１２を用いて、「ネズミモチ」を投稿情報として投稿すると、サーバ１３では、その投稿情報「ネズミモチ」が、エリアA13のアカマツ群のある場所PとユーザUに関連付けられる。
【０４９１】
ここで、以下、あるユーザUについて、そのユーザUが投稿した投稿情報を、自己投稿情報ともいい、他のユーザU'が投稿した投稿情報を、他者投稿情報ともいう。他のユーザU'にとっては、ユーザU'が投稿した投稿情報が自己投稿情報となり、ユーザUが投稿した投稿情報が他者投稿情報となる。
【０４９２】
端末１２では、サーバ１３で植生分布に関連付けられた投稿情報を、植生分布とともに表示すること、すなわち、投稿情報が反映された植生分布画面を表示することができる。
【０４９３】
図５２は、投稿情報が反映された植生分布画面の表示例を示す図である。
【０４９４】
いま、例えば、あるユーザUが、エリアA13のアカマツ群のある場所Pで、端末１２を用いて、投稿情報「ネズミモチ」を投稿し、サーバ１３において、投稿情報「ネズミモチ」が、エリアA13のアカマツ群のある場所PとユーザUに関連付けられていることとする。
【０４９５】
この場合に、例えば、ユーザUが、端末１２を操作して、エリアA13付近の植生分布の表示を要求すると、サーバ１３は、例えば、図５１に示したユーザUの移動軌跡を表示した植生分布画面に、ユーザUの自己投稿情報「ネズミモチ」を、その自己投稿情報「ネズミモチ」を投稿した場所Pが分かる形で反映した植生分布画面を、端末１２に表示させる。
【０４９６】
図５２は、ユーザUの自己投稿情報「ネズミモチ」を、その自己投稿情報「ネズミモチ」を投稿した場所Pが分かる形で反映した植生分布画面の表示例を示している。
【０４９７】
ユーザUは、端末１２に表示された植生分布画面を見ることにより、ネズミモチがある場所Pを、容易に認識し、その場所Pに再訪して、ネズミモチを採取することができる。
【０４９８】
ところで、自己投稿情報「ネズミモチ」を投稿したユーザU以外のユーザU'の端末１２において、ユーザUが投稿した投稿情報「ネズミモチ」を場所Pが分かる形で反映した植生分布画面を表示した場合には、ユーザU以外のユーザが、場所Pに殺到し、その場所Pにあるネズミモチの乱獲が行われるおそれがある。
【０４９９】
一方、ユーザUが、投稿情報「ネズミモチ」を投稿することにより行われた、投稿情報「ネズミモチ」と、エリアA13のアカマツ群（のある場所P）との関連付けによれば、アカマツ群でネズミモチが見つかったという事実を認識することができる。かかる事実によれば、例えば、アカマツとネズミモチとが共生関係にあるという仮説や、アカマツ群で、ネズミモチが見つかりやすいという仮説等の、ネズミモチの探索や育成に有用な仮説をたてることができる。
【０５００】
そこで、ユーザU以外のユーザU'のユーザ端末１２では、そのユーザU'にとって他者投稿情報である、例えば、ユーザUの投稿情報「ネズミモチ」については、その投稿情報「ネズミモチ」を投稿した場所Pが分からない形で反映した植生分布画面を表示することができる。
【０５０１】
図５３は、投稿情報が反映された植生分布画面の他の表示例を示す図である。
【０５０２】
いま、例えば、サーバ１３において、あるユーザUの投稿情報「ネズミモチ」が、エリアA13のアカマツ群のある場所PとユーザUに関連付けられていることとする。また、ユーザUではないあるユーザU'は、投稿情報の投稿（入力）を行ったことがないこととする。
【０５０３】
この場合に、例えば、ユーザU'が、端末１２を操作して、エリアA13付近の植生分布の表示を要求すると、サーバ１３は、例えば、図５０に示した植生分布画面を、端末１２に表示させる。
【０５０４】
さらに、例えば、ユーザU'が、アカマツ群のエリアA13やA16を指定すると、サーバ１３は、植生分布のアカマツ群のエリア内の場所に関連付けられている他者投稿情報をリストにした他者投稿情報リストを、ユーザU'の端末１２の植生分布画面上に表示させる。
【０５０５】
図５３は、他者投稿情報リストが表示された植生分布画面の表示例を示している。
【０５０６】
上述したように、サーバ１３において、ユーザUの投稿情報「ネズミモチ」が、エリアA13のアカマツ群のある場所PとユーザUに関連付けられている場合に、ユーザUではないユーザU'が、アカマツ群のエリアA13やA16を指定すると、アカマツ群の場所に関連付けられている他者投稿情報、すなわち、例えば、アカマツ群のある場所Pに関連付けられているユーザUの投稿情報「ネズミモチ」が含まれる他者投稿情報リストが、植生分布画面に表示される。
【０５０７】
ユーザU'は、アカマツ群のエリアA13やA16を指定することで植生分布画面に表示される他者投稿情報リストを見ることにより、ネズミモチが見つかった具体的な場所は分からないが、アカマツ群がある場所で、ネズミモチが見つかった事実を認識することができる。
【０５０８】
かかる事実によれば、例えば、上述したように、アカマツとネズミモチとが共生関係にあるという仮説や、アカマツ群で、ネズミモチが見つかりやすいという仮説等の、ネズミモチの探索や育成に有用な仮説をたてることができる。
【０５０９】
この場合、ユーザU'には、アカマツがある場所において、ネズミモチの探索を行うインセンティブや、ネズミモチを植えるインセンティブが働き、その結果、ネズミモチの乱獲を防止しつつ、ネズミモチの探索や育成の促進を図ることができる。
【０５１０】
なお、他者投稿情報リストには、他者投稿情報（例えば、投稿情報「ネズミモチ」）の他、他者投稿情報が投稿されたときの、その投稿の場所（例えば、投稿情報「ネズミモチ」が投稿された場所P）の気温や湿度等の気象条件等も含めることができる。
【０５１１】
この場合、他者投稿情報リストを見たユーザU'は、気象条件を考慮して、ネズミモチの探索や育成を行うことができる。すなわち、例えば、ユーザU'は、アカマツ群のエリアのうちの、他者投稿情報リストに含まれる、ネズミモチが見つかった場所Pの気象条件に類似する気象条件のエリアを対象として、ネズミモチの探索や育成を行うことができる。
【０５１２】
また、サーバ１３では、植生分布のエリアのうちの、場所Pの気象条件の一部又は全部に類似する気象条件のエリアを、ネズミモチが見つかった気象条件に類似する気象条件のエリアとして、端末１２に表示させることができる。
【０５１３】
その他、サーバ１３では、場所Pの気象条件と他の場所の気象条件との類似性に基づき、他の場所が、ネズミモチの育成に適しているかどうかのアドバイスを、端末１２に提示させることができる。
【０５１４】
図５４は、ユーザが投稿した投稿情報を、植生分布と関連付ける処理の例を説明するフローチャートである。
【０５１５】
ステップＳ２４１において、端末１２の通信部４０は、端末１２のユーザを識別するユーザ情報（例えば、ユーザIDやパスワード等）をサーバ１３に送信し、位置検出部３９で検出された端末１２の位置を表す位置情報のサーバ１３への送信を開始する。
【０５１６】
なお、端末１２のユーザのユーザ情報は、例えば、端末１２のストレージ３３に登録されているか、又は、ユーザが操作部３４を操作して入力することとする。
【０５１７】
ステップＳ２５１において、サーバ１３の通信部６７は、端末１２からのユーザ情報を受信し、同じく端末１２からの位置情報の受信を開始する。
【０５１８】
さらに、サーバ１３の植生分布表示制御部７８は、通信部６７で受信されたユーザ情報を、ストレージ６３に登録する。また、植生分布表示制御棒７８は、そのユーザ情報に対応付けて、通信部６７で受信が開始された位置情報を、ストレージ６３に登録することを開始する。
【０５１９】
以上のように、サーバ１３では、ユーザ情報に対応付けて、位置情報を登録することで、そのユーザ情報によって識別されるユーザの移動軌跡が保存される。
【０５２０】
その後、端末１２のユーザが、投稿情報を入力した場合、すなわち、例えば、操作部３４を操作することにより、投稿情報としての文字列を入力した場合や、カメラ３７によって、投稿情報としての写真を撮影した場合、ステップＳ２４２において、通信部４０は、その投稿情報と、その投稿情報が入力されたときに、位置検出部３９で検出された位置情報とを、サーバ１３に送信する。
【０５２１】
ステップＳ２５２において、サーバ１３の通信部６７は、端末１２からの投稿情報と位置情報を、端末１２の（ユーザの）ユーザ情報と対応付けて、ストレージ６３に登録し、これにより、端末１２からの投稿情報は、その投稿情報が投稿されたときの位置情報が表す植生分布の位置と、端末１２のユーザ情報とに関連付けられる。
【０５２２】
図５５は、自己投稿情報が反映された植生分布画面を表示する処理の例を説明するフローチャートである。
【０５２３】
ステップＳ２６１において、端末１２の通信部４０は、端末１２のユーザ情報と、位置検出部３９で検出された現在地を表す位置情報を、サーバ１３に送信する。
【０５２４】
サーバ１３の通信部６７は、端末１２からのユーザ情報、及び、位置情報を受信し、ステップＳ２７１において、植生分布表示制御部７８は、端末１２からの位置情報が表す位置（現在地）を含む植生分布に、端末１２からのユーザ情報に対応付けてストレージ６３に登録された位置情報から認識されるユーザの移動軌跡を表示した、例えば、図５１に示したような植生分布表示画面を生成する。
【０５２５】
ステップＳ２７２において、サーバ１３の通信部６７は、植生分布表示制御部７８が生成した植生分布表示画面を、端末１２に送信する。
【０５２６】
ステップＳ２６２において、端末１２の取得部５１は、サーバ１３からの植生分布表示画面を、通信部４０に受信させることにより取得する。
【０５２７】
ステップＳ２６３において、端末１２の表示制御部５２は、取得部５１が取得した植生分布表示画面を、表示部３５に表示する。
【０５２８】
その後、端末１２のユーザが、操作部３４を操作して、自己投稿情報を要求した場合、ステップＳ２６４において、通信部４０は、投稿情報の要求を、端末１２のユーザ情報とともに、サーバ１３に送信する。
【０５２９】
サーバ１３の通信部６７は、端末１２からの投稿情報の要求、及び、ユーザ情報を受信し、ステップＳ２７３において、植生分布表示制御部７８は、ストレージ６３に登録された投稿情報の中から、端末１２からのユーザ情報と、ステップＳ２７１で生成した植生分布表示画面に表示された植生分布内のいずれかの位置を表す位置情報とに関連付けられた投稿情報、すなわち、端末１２のユーザの自己投稿情報を、植生分布に関連付けられた関連情報として検索することにより取得する。
【０５３０】
ステップＳ２７４において、サーバ１３の植生分布表示制御部７８は、ステップＳ２７３で取得した、端末１２のユーザの自己投稿情報を、その自己投稿情報に関連付けられた位置情報とともに、通信部６７から端末１２に送信させる。
【０５３１】
ステップＳ２６５において、端末１２の取得部５１は、サーバ１３からの自己投稿情報、及び、位置情報を、通信部４０に受信させることにより取得する。
【０５３２】
ステップＳ２６６において、表示制御部５２は、取得部５１が取得した自己投稿情報を、同じく取得部５１が取得した位置情報が表す位置が分かるように、ステップＳ２６３で表示部３５に表示された植生分布表示画面に表示させる。これにより、図５２に示したように、端末１２のユーザが自己投稿情報を投稿した場所Pが分かる形で、その自己投稿情報が反映された植生分布画面が表示される。
【０５３３】
図５６は、他者投稿情報リストが反映された植生分布画面を表示する処理の例を説明するフローチャートである。
【０５３４】
ステップＳ２８１において、端末１２の通信部４０は、位置検出部３９で検出された現在地を表す位置情報を、サーバ１３に送信する。
【０５３５】
サーバ１３の通信部６７は、端末１２からの位置情報を受信し、ステップＳ２９１において、植生分布表示制御部７８は、端末１２からの位置情報が表す位置（現在地）を含む植生分布を表示した、例えば、図５０に示したような植生分布表示画面を生成する。
【０５３６】
ステップＳ２９２において、サーバ１３の通信部６７は、植生分布表示制御部７８が生成した植生分布表示画面を、端末１２に送信する。
【０５３７】
ステップＳ２８２において、端末１２の取得部５１は、サーバ１３からの植生分布表示画面を、通信部４０に受信させることにより取得する。
【０５３８】
ステップＳ２８３において、端末１２の表示制御部５２は、取得部５１が取得した植生分布表示画面を、表示部３５に表示する。
【０５３９】
その後、端末１２のユーザが、操作部３４を操作して、植生分布表示画面に表示された植生分布上の所定の位置を指定した場合、ステップＳ２８４において、通信部４０は、ユーザが指定した位置に分布する植生を表す植生情報を、サーバ１３に送信する。
【０５４０】
サーバ１３の通信部６７は、端末１２からの植生情報を受信し、ステップＳ２９３において、植生分布表示制御部７８は、ストレージ６３に登録された他者投稿情報の中から、端末１２からの植生情報が表す植生が分布する植生分布内のいずれかの位置を表す位置情報に関連付けられた他者投稿情報を、植生分布に関連付けられた関連情報として検索することにより取得する。
【０５４１】
さらに、植生分布表示制御部７８は、ストレージ６３に登録された他者投稿情報の中から検索した他者投稿情報をリストにした他者投稿情報リストを生成し、ステップＳ２９４において、通信部６７から端末１２に送信させる。
【０５４２】
ステップＳ２８５において、端末１２の取得部５１は、サーバ１３からの他者投稿情報リストを、通信部４０に受信させることにより取得する。
【０５４３】
ステップＳ２８６において、表示制御部５２は、取得部５１が取得した他者投稿情報リストを、その他者投稿情報リストに含まれる他者投稿情報が投稿された位置が分からないように、ステップＳ２８３で表示部３５に表示された植生分布表示画面に表示させる。すなわち、表示制御部５２は、他者投稿情報リストを、例えば、ステップＳ２８３で表示部３５に表示された植生分布表示画面の任意の位置、又は、あらかじめ決められた所定の位置に表示させる。これにより、図５３に示したように、他者投稿情報リストに含まれる他者投稿情報が投稿された位置が分からない形で、その他者投稿情報リストが反映された植生分布画面が表示される。
【０５４４】
＜生態系の評価＞
【０５４５】
図５７は、サーバ１３の評価部７３による活用地域の生態系の評価を説明する図である。
【０５４６】
ユーザやセンサ装置１１により、様々な観測（センシング）が行われ、その観測の結果得られる観測値（例えば、カメラ３７で撮影された写真や、ユーザが操作部３４を操作することで入力したテキスト、センサ装置１１でセンシングされたセンサデータ等）は、その観測値が得られたときの観測条件とともに、サーバ１３において、ストレージ６３の協生農法DB（図５）等のDBに登録される。
【０５４７】
評価部７３は、様々な評価方法による生態系の評価を実現するために、複数のモデル、すなわち、例えば、評価に用いる観測値の観測条件（例えば、所定の場所の所定の範囲の土の中の、所定の深さだけ掘り返して、虫を観測の対象として観測を行うとか、所定の場所の所定の範囲内を所定の人数で観測し、任意の種を観測の対象とするとか等）、評価に用いる評価スコアの定義等が異なる様々な評価方法のモデルを有している。
【０５４８】
複数のモデルとしては、機械学習に用いられるモデル、すなわち、例えば、Nグラムや、HMM(Hidden Markov Models)、ニューラルネット、その他様々な回帰モデル等を採用することができる。
【０５４９】
評価部７３は、各モデルに、DBに登録された観測値を入力として与え、観測の予測を行う。さらに、評価部７３は、実際の観測値のフィードバックを受け、その実際の観測値を用いたベイズ推定等によって、モデルを用いた観測の予測によって得られる、観測値の予測値を評価する。
【０５５０】
さらに、評価部７３は、観測値の予測値の評価の結果に基づき、モデルや観測値（観測条件を含む）の有意性、すなわち、例えば、観測値の入力に対してモデルから得られる観測値の予測値の予測精度を判定する。
【０５５１】
そして、評価部７３は、有意なモデル（予測精度の良いモデル）を選択し、有意でないモデルを削除する。
【０５５２】
また、評価部７３は、DBから、観測値の予測値の予測精度の向上に貢献する有意な観測値を選択する。
【０５５３】
さらに、評価部７３は、DBから、有意でない観測値の項目（変数）を削除することで、有意な観測値の項目が登録されたDBとなるように、DBを適応させる。
【０５５４】
評価部７３は、有意なモデルに、有意な観測値を入力することで、活用地域の生態系を評価し、その評価の結果を、必要に応じて、通信部６７から端末１２に送信して、ユーザに提示することができる。
【０５５５】
以上のように、評価部７３は、様々な評価方法による生態系の評価を実現するために、複数のモデルを有するので、ユーザは、観測条件を固定せずに、観測を行うことができ、さらに、そのような観測から得られた観測値から、活用地域の生態系の現状に適した評価スコアを得て、生態系の評価を行うことができる。したがって、評価部７３では、生態系を動的に評価する、いわばダイナミカルアセスメントを行うことができるということができる。ダイナミカルアセスメントでは、モデルや、観測条件（観測方法）、スコアの求め方（スコア体系）を、適宜固定することで、既存の環境アセスメントを表現することができるので、ダイナミカルアセスメントは、既存の環境アセスメントを含み、かつ、既存の環境アセスメントを拡張したアセスメントであるということができる。
【０５５６】
また、評価部７３によれば、有意な観測値の項目を認識することができ、そのような有意な観測値が得られる観測条件での観測を行うように、ユーザにアドバイスすることが可能となる。
【０５５７】
＜観測値の信頼性に基づくアドバイス＞
【０５５８】
図５８及び図５９は、観測値の信頼度の例を示す図である。
【０５５９】
活用地域の生態系活用の支援に必要な情報を得るためには、活用地域の生態系について、様々な観測を行い、信頼性のある観測値を収集することが必要である。
【０５６０】
そこで、サーバ１３では、信頼度算出部７４が、端末１２から送信されてくる、ユーザが生態系を観測して得られる観測値（例えば、ユーザが観測した種（の種名）等）の信頼度を算出する。そして、アドバイス生成部７５が、信頼度算出部７４で得られた信頼度に応じて、生態系の観測について、アドバイスを生成し、端末１２に送信して、ユーザに提示する。
【０５６１】
図５８及び図５９は、活用地域内の圃場で観測された種についての、新規種率、及び、観測バイアスの例を示している。
【０５６２】
ここで、図５８及び図５９において、横軸は、種の観測を行った所定の期間である、例えば、1年分の日付を表し、縦軸は、その1年においてユーザによる観測が行われた各観測日における新規種率、又は、観測バイアスを表す。
【０５６３】
なお、ここでは、ユーザが観測した種を、新規種と従来種とに分けることとする。新規種とは、横軸が表す所定の期間である1年の始点から今までの間に観測されていなかった種を意味し、従来種とは、横軸が表す所定の期間である1年の始点から今までの間に観測されたことがある種を意味する。
【０５６４】
新規種率は、観測日にユーザが観測した種の総数で、その観測日の新規種の総数を除算することにより求められる。
【０５６５】
観測バイアスは、ユーザの観測に揺らぎが存在する場合に、その揺らぎが、各観測値に反映される程度を表し、例えば、観測日にユーザが観測した種の総数の逆数を採用することができる。
【０５６６】
観測値の信頼度としては、例えば、観測バイアスに対応する値（ユーザが観測した種の総数に対応する値でもある）を採用することができる。
【０５６７】
観測値の信頼度として、観測バイアスに対応する値を採用する場合、観測バイアスが小さいほど、観測値の揺らぎが小さいので、観測値の信頼度は大になる。
【０５６８】
図５８において、矢印が示す部分の観測日に観測された観測値については、観測バイアスが小さいので、信頼度は大きい。
【０５６９】
一方、図５９において、矢印が示す部分の観測日に観測された観測値については、観測バイアスが大きいので、信頼度は小さい。
【０５７０】
図６０は、観測値の信頼度の他の例を示す図である。
【０５７１】
すなわち、図６０は、活用地域内の圃場で観測された種についての、新規種の数と従来種の数との幾何平均値（相乗平均値）の例を示している。
【０５７２】
なお、図６０において、横軸は、種の観測を行った1年分の日付を表し、縦軸は、その1年においてユーザによる観測が行われた各観測日における種についての新規種の数と従来種の数との幾何平均値を表す。
【０５７３】
また、図６０の上側は、活用地域内のすべての圃場についての幾何平均値を表し、図６０の下側は、活用地域内の圃場ごとの幾何平均値を表している。
【０５７４】
観測値の信頼度としては、例えば、上述のような新規種の数と従来種の数との幾何平均値そのものを含む幾何平均値に対応する値を採用することができる。
【０５７５】
観測値の信頼度として、新規種の数と従来種の数との幾何平均値を採用する場合には、その幾何平均値が大であるほど、観測値の信頼度は大になる。
【０５７６】
サーバ１３では、信頼度算出部７４は、以上のような、観測値の信頼度を算出し、アドバイス生成部７５に供給する。
【０５７７】
アドバイス生成部７５は、信頼度算出部７４からの信頼度と、所定の閾値とを比較し、その比較結果に応じて、種の観測についてのアドバイスを生成する。
【０５７８】
すなわち、信頼度が所定の閾値より小（又は、所定の閾値以下）であるとき（信頼度が小さいとき）、アドバイス生成部７５は、例えば、種の観測を促す促進アドバイス（例えば、メッセージ「もっと観測を行って下さい。」等）や、種の観測が不十分であることを報知する不十分アドバイス（例えば、メッセージ「観測が不十分です。」等）を生成する。
【０５７９】
また、信頼度が所定の閾値以上（又は、所定の閾値より大）であるとき（信頼度が大きいとき）、アドバイス生成部７５は、例えば、種の観測が十分であることを報知する十分アドバイス（例えば、メッセージ「今日の観測は、十分です。」等）を生成する。
【０５８０】
そして、アドバイス生成部７５は、種の観測についてのアドバイスを、通信部６７から端末１２に送信させる。
【０５８１】
端末１２では、取得部５１が、サーバ１３からのアドバイスを、通信部４０に受信させることにより取得し、表示制御部５２が、そのアドバイスを、表示部３５に表示することや、スピーカ３６から音声で出力することにより、ユーザに提示する。
【０５８２】
端末１２のユーザは、提示されたアドバイスにより、種の観測が足りないことや十分であることを認識することができる。そして、ユーザは、種の観測が足りない場合には、種の観測を続行し、種の観測が十分な場合には、種の観測を終了することができる。
【０５８３】
なお、観測値の信頼度の算出は、複数のユーザのグループごとに行うことや、ユーザごとに行うことができる。複数のユーザのグループごとに、信頼度の算出を行う場合には、アドバイスは、グループごとに生成され、ユーザごとに、信頼度の算出を行う場合には、アドバイスは、ユーザごとに生成される。
【０５８４】
また、生態系の観測についてのアドバイスは、上述したように、信頼度算出部７４で得られたユーザの観測値の信頼度に応じて生成する他、ユーザが種を観測した観測値における新規種の数や従来種の数に応じて生成することができる。
【０５８５】
例えば、新規種の数が少なく、従来種の数が多い場合（新規種率が小さい場合）には、ユーザが、これまでに観測したことがある場所の観測しかしていないことが推定されるので、ユーザに、これまでとは異なる場所を観測することを促すアドバイスを生成することができる。
【０５８６】
また、例えば、新規種の数及び従来種の数のうちの一方が極端に小さい場合には、その小さい方の観測を促すアドバイスを生成することができる。
【０５８７】
さらに、例えば、新規種の数及び従来種の数の両方が小さい場合には、新規種と従来種の両方の観測を促すアドバイスを生成することができる。
【０５８８】
また、アドバイス生成部７５においてユーザの観測値の信頼度と比較される所定の閾値としては、例えば、複数のユーザの観測値の信頼度の平均値に応じた値（例えば、その平均値の1/N等）を採用することができる。
【０５８９】
さらに、ユーザの観測値の信頼度と比較される所定の閾値は、観測値が観測された地域や時期に応じて変更することができる。
【０５９０】
例えば、種が観測されにくい地域である、例えば、砂漠で観測される観測値の信頼度と比較される所定の閾値は、他の地域で観測される観測値の信頼度と比較される所定の閾値よりも小さい値に変更することができる。一方、種が観測されやすい地域である、例えば、熱帯雨林地方で観測される観測値の信頼度と比較される所定の閾値は、他の地域で観測される観測値の信頼度と比較される所定の閾値よりも大きい値に変更することができる。
【０５９１】
さらに、例えば、種が観測されにくい時期である、例えば、冬に観測される観測値の信頼度と比較される所定の閾値は、他の時期に観測される観測値の信頼度と比較される所定の閾値よりも小さい値に変更することができる。
【０５９２】
また、信頼度算出部７４では、ユーザに関するユーザプロファイルに応じて、ユーザの観測値の信頼度に重みを付して、観測値の（最終的な）信頼度を算出することができる。
【０５９３】
例えば、ユーザUA及びUBからなるグループについて、そのユーザUA及びUBが観測した観測値の信頼度を算出するにあたっては、ユーザUA及びUBそれぞれの観測値の信頼度に、そのユーザUA及びUBそれぞれのユーザプロファイルに応じた重みを付して、信頼度を算出することができる。
【０５９４】
具体的には、いま、説明を簡単にするために、ユーザUA及びUBからなるグループの観測値の信頼度として、ユーザUA及びUBが観測した種の数の総和を採用することとする。さらに、ユーザUAは学者レベルのユーザであり、ユーザUBは初心者レベルのユーザであることとし、そのことが、ユーザUA及びUBそれぞれのユーザプロファイルから認識することができることとする。
【０５９５】
この場合、信頼度算出部７４は、例えば、学者レベルのユーザUAが観測した種の数に、大きな重みw(>1-w)を付すとともに、初心者レベルのユーザUBが観測した種の数に、小さな重み1-w(<w)を付して、ユーザUA及びUBが観測した種の数の重み付け加算値を算出し、その重み付け加算値を、ユーザUA及びUBからなるグループの観測値の信頼度とすることができる。
【０５９６】
さらに、信頼度算出部７４では、観測値として観測された種に応じて、その種の観測値に重みを付して、信頼度を算出することができる。
【０５９７】
例えば、ユーザが観測した種の数が、N個であり、そのN個の種の中で、K個の種が、希少種（絶滅危惧種）であり、残りのN-K個の種が、希少種でない種である場合には、信頼度算出部７４は、希少種の数Nに、大きな重みwを付すとともに、希少種でない種の数N-Kに、小さな重み1-wを付して、ユーザが観測した希少種の数Nと、希少種でない種の数N-Kとの重み付け加算値を算出し、その重み付け加算値を、ユーザの観測値の信頼度とすることができる。
【０５９８】
なお、ユーザによる生態系の観測には、ゲーミフィケーションの要素を取り入れることができる。
【０５９９】
例えば、ユーザの観測値の信頼度や、観測値として観測した種の数、観測の時間、観測値として観測した種が希少種であるかどうか等に応じて、ユーザにポイントを与えることができる。
【０６００】
以上のように、ユーザによる生態系の観測に、ゲーミフィケーションの要素を取り入れることにより、ユーザによる生態系の観測を促進し、生態系活用を支援し得るデータ（観測値）を収集することができる。
【０６０１】
図６１は、ユーザが生態系を観測して得られる観測値の信頼度に応じて、生態系の観測についてのアドバイスを生成し、ユーザに提示する処理の例を説明するフローチャートである。
【０６０２】
ステップＳ３１１において、サーバ１３の信頼度算出部７４が、端末１２から送信されてきた、ユーザが生態系を観測して得られる観測値の信頼度を算出する。
【０６０３】
ステップＳ３１２において、サーバ１３のアドバイス生成部７５が、信頼度算出部７４が算出した信頼度と所定の閾値とを比較し、その比較結果に応じて、上述した促進アドバイスや、不十分アドバイス、十分アドバイス等のアドバイス情報を生成する。
【０６０４】
ステップＳ３１３において、アドバイス生成部７５は、アドバイス情報を、通信部６７から端末１２に送信する。
【０６０５】
ステップＳ３０１において、端末１２の取得部５１は、サーバ１３からのアドバイス情報を、通信部４０で受信することにより取得する。
【０６０６】
ステップＳ３０２において、表示制御部５２は、取得部５１が取得したアドバイス情報を表示部３５に表示することにより（又は、スピーカ３６から音声で出力することにより）、ユーザに提示する。
【０６０７】
以上のように、ユーザが生態系を観測して得られる観測値に対して、信頼度を算出し、その信頼度に応じて、生態系の観測について、アドバイス（情報）を生成して、ユーザに提示することにより、ユーザによる生態系の観測を促進し、生態系活用を支援し得る様々な観測値を収集することができる。
【０６０８】
ここで、本明細書において、コンピュータ(CPU)がプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０６０９】
また、プログラムは、１のコンピュータ（プロセッサ）により処理されるものであっても良いし、複数のコンピュータによって分散処理されるものであっても良い。さらに、プログラムは、遠方のコンピュータに転送されて実行されるものであっても良い。
【０６１０】
さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０６１１】
なお、本技術の実施の形態は、上述した実施の形態に限定されるものではなく、本技術の要旨を逸脱しない範囲において種々の変更が可能である。
【０６１２】
例えば、本技術は、１つの機能をネットワークを介して複数の装置で分担、共同して処理するクラウドコンピューティングの構成をとることができる。
【０６１３】
また、上述のフローチャートで説明した各ステップは、１つの装置で実行する他、複数の装置で分担して実行することができる。
【０６１４】
さらに、１つのステップに複数の処理が含まれる場合には、その１つのステップに含まれる複数の処理は、１つの装置で実行する他、複数の装置で分担して実行することができる。
【０６１５】
また、本明細書に記載された効果はあくまで例示であって限定されるものではなく、他の効果があってもよい。
【０６１６】
なお、本技術は、以下のような構成をとることができる。
【０６１７】
＜Ａ１＞
種と、前記種以外の他の情報とが関連付けられたデータベースから得られる、前記他の情報を尺度とする前記種どうしの関係を表す、ノードとリンクで構成される関係グラフを表示させる表示制御を行うグラフ表示制御部を備える
情報処理装置。
＜Ａ２＞
前記関係グラフは、前記データベースから求められる、前記種と前記他の情報とのバイパータイトグラフを用いて生成される
＜Ａ１＞に記載の情報処理装置。
＜Ａ３＞
前記関係グラフは、前記種と、前記種に関連付けられた前記他の情報との関係をも表す
＜Ａ２＞に記載の情報処理装置。
＜Ａ４＞
ユーザの操作に応じて、複数のデータベースの中から、前記関係グラフの生成に用いるデータベースを選択する
＜Ａ１＞ないし＜Ａ３＞のいずれかに記載の情報処理装置。
＜Ａ５＞
前記関係グラフの生成に用いるデータベースに応じて、前記関係グラフの背景色、前記ノードの形状、及び、前記ノードの色のうちの１以上が変更される
＜Ａ４＞に記載の情報処理装置。
＜Ａ６＞
前記関係グラフの生成に用いるデータベースに応じて、異なる音を出力させる
＜Ａ４＞又は＜Ａ５＞に記載の情報処理装置。
＜Ａ７＞
前記データベースは、植生と前記植生以外の他の情報とが関連付けられたデータベースである
＜Ａ１＞ないし＜Ａ６＞のいずれかに記載の情報処理装置。
＜Ａ８＞
前記データベースは、前記植生と前記植生が観測された圃場とが関連付けられたデータベース、又は、前記植生と前記植生を用いる料理レシピとが関連付けられたデータベースである
＜Ａ７＞に記載の情報処理装置。
＜Ａ９＞
前記データベースは、センサによるセンシングで得られるセンサデータを用いたボロノイ分割により得られるデータベースである
＜Ａ１＞ないし＜Ａ６＞のいずれかに記載の情報処理装置。
＜Ａ１０＞
前記関係グラフは、
前記種と第１の他の情報とが関連付けられた第１のデータベースと、前記種と第２の他の情報とが関連付けられた第２のデータベースとから得られる、前記第１の他の情報及び前記第２の他の情報を尺度とする前記種どうしの関係と、
前記第１のデータベースにおいて関連付けられた前記種と前記第１の他の情報との関係と、
前記第２のデータベースにおいて関連付けられた前記種と前記第２の他の情報との関係と
を表す
＜Ａ１＞ないし＜Ａ４＞のいずれかに記載の情報処理装置。
＜Ａ１１＞
ユーザに関するユーザプロファイルに基づいて、前記関係グラフが変更される
＜Ａ１＞ないし＜Ａ１０＞のいずれかに記載の情報処理装置。
＜Ａ１２＞
ユーザが種に携わっている経験年数に基づいて、前記関係グラフが変更される
＜Ａ１１＞に記載の情報処理装置。
＜Ａ１３＞
前記種に関するコンテンツプロファイルに基づいて、前記関係グラフが変更される
＜Ａ１＞ないし＜Ａ１２＞のいずれかに記載の情報処理装置。
＜Ａ１４＞
前記種の知名度又は希少性に基づいて、前記関係グラフが変更される
＜Ａ１３＞に記載の情報処理装置。
＜Ａ１５＞
ユーザに関するユーザプロファイルに基づいて、前記種どうしの関係が補正される
＜Ａ１＞ないし＜Ａ１０＞のいずれかに記載の情報処理装置。
＜Ａ１６＞
ユーザが種に携わっている経験年数に基づいて、前記種どうしの関係が補正される
＜Ａ１５＞に記載の情報処理装置。
＜Ａ１７＞
前記種に関するコンテンツプロファイルに基づいて、前記種どうしの関係が補正される
＜Ａ１＞ないし＜Ａ１０＞、＜Ａ１５＞、及び、＜Ａ１６＞のいずれかに記載の情報処理装置。
＜Ａ１８＞
前記種の知名度又は希少性に基づいて、前記種どうしの関係が補正される
＜Ａ１７＞に記載の情報処理装置。
＜Ａ１９＞
前記グラフ表示制御部は、注目している前記種である注目種と他の種との関係に基づいて、前記他の種をランキング付けしたランキングリストを、さらに表示させる
＜Ａ１＞ないし＜Ａ１８＞のいずれかに記載の情報処理装置。
＜Ａ２０＞
種と、前記種以外の他の情報とが関連付けられたデータベースから得られる、前記他の情報を尺度とする前記種どうしの関係を表す、ノードとリンクで構成される関係グラフを表示させる表示制御を行う
情報処理方法。
＜Ａ２１＞
種と、前記種以外の他の情報とが関連付けられたデータベースから得られる、前記他の情報を尺度とする前記種どうしの関係を表す、ノードとリンクで構成される関係グラフを表示させる表示制御を行うグラフ表示制御部
として、コンピュータを機能させるためのプログラム。
【０６１８】
＜Ｂ１＞
種と、前記種以外の他の情報とが関連付けられたデータベースから得られる、前記他の情報を尺度とする前記種どうしの関係を表す、ノードとリンクで構成される関係グラフを、端末に表示させるグラフ表示制御部を含む
情報処理装置。
＜Ｂ２＞
前記関係グラフは、前記データベースから求められる、前記種と前記他の情報とのバイパータイトグラフを用いて生成される
＜Ｂ１＞に記載の情報処理装置。
＜Ｂ３＞
前記関係グラフは、前記種と、前記種に関連付けられた前記他の情報との関係をも表す
＜Ｂ２＞に記載の情報処理装置。
＜Ｂ４＞
ユーザの操作に応じて、複数のデータベースの中から、前記関係グラフの生成に用いるデータベースを選択する
＜Ｂ１＞ないし＜Ｂ３＞のいずれかに記載の情報処理装置。
＜Ｂ５＞
前記関係グラフの生成に用いるデータベースに応じて、前記関係グラフの背景色、前記ノードの形状、及び、前記ノードの色のうちの１以上が変更される
＜Ｂ４＞に記載の情報処理装置。
＜Ｂ６＞
前記関係グラフの生成に用いるデータベースに応じて、異なる音を出力させる
＜Ｂ４＞又は＜Ｂ５＞に記載の情報処理装置。
＜Ｂ７＞
前記データベースは、植生と前記植生以外の他の情報とが関連付けられたデータベースである
＜Ｂ１＞ないし＜Ｂ６＞のいずれかに記載の情報処理装置。
＜Ｂ８＞
前記データベースは、前記植生と前記植生が観測された圃場とが関連付けられたデータベース、又は、前記植生と前記植生を用いる料理レシピとが関連付けられたデータベースである
＜Ｂ７＞に記載の情報処理装置。
＜Ｂ９＞
前記データベースは、センサによるセンシングで得られるセンサデータを用いたボロノイ分割により得られるデータベースである
＜Ｂ１＞ないし＜Ｂ６＞のいずれかに記載の情報処理装置。
＜Ｂ１０＞
前記関係グラフは、
前記種と第１の他の情報とが関連付けられた第１のデータベースと、前記種と第２の他の情報とが関連付けられた第２のデータベースとから得られる、前記第１の他の情報及び前記第２の他の情報を尺度とする前記種どうしの関係と、
前記第１のデータベースにおいて関連付けられた前記種と前記第１の他の情報との関係と、
前記第２のデータベースにおいて関連付けられた前記種と前記第２の他の情報との関係と
を表す
＜Ｂ１＞ないし＜Ｂ４＞のいずれかに記載の情報処理装置。
＜Ｂ１１＞
ユーザに関するユーザプロファイルに基づいて、前記関係グラフが変更される
＜Ｂ１＞ないし＜Ｂ１０＞のいずれかに記載の情報処理装置。
＜Ｂ１２＞
ユーザが種に携わっている経験年数に基づいて、前記関係グラフが変更される
＜Ｂ１１＞に記載の情報処理装置。
＜Ｂ１３＞
前記種に関するコンテンツプロファイルに基づいて、前記関係グラフが変更される
＜Ｂ１＞ないし＜Ｂ１２＞のいずれかに記載の情報処理装置。
＜Ｂ１４＞
前記種の知名度又は希少性に基づいて、前記関係グラフが変更される
＜Ｂ１３＞に記載の情報処理装置。
＜Ｂ１５＞
ユーザに関するユーザプロファイルに基づいて、前記種どうしの関係が補正される
＜Ｂ１＞ないし＜Ｂ１０＞のいずれかに記載の情報処理装置。
＜Ｂ１６＞
ユーザが種に携わっている経験年数に基づいて、前記種どうしの関係が補正される
＜Ｂ１５＞に記載の情報処理装置。
＜Ｂ１７＞
前記種に関するコンテンツプロファイルに基づいて、前記種どうしの関係が補正される
＜Ｂ１＞ないし＜Ｂ１０＞、＜Ｂ１５＞、及び、＜Ｂ１６＞のいずれかに記載の情報処理装置。
＜Ｂ１８＞
前記種の知名度又は希少性に基づいて、前記種どうしの関係が補正される
＜Ｂ１７＞に記載の情報処理装置。
＜Ｂ１９＞
前記グラフ表示制御部は、注目している前記種である注目種と他の種との関係に基づいて、前記他の種をランキング付けしたランキングリストを、前記端末にさらに表示させる
＜Ｂ１＞ないし＜Ｂ１８＞のいずれかに記載の情報処理装置。
＜Ｂ２０＞
種と、前記種以外の他の情報とが関連付けられたデータベースから得られる、前記他の情報を尺度とする前記種どうしの関係を表す、ノードとリンクで構成される関係グラフを、端末に表示させる
情報処理方法。
＜Ｂ２１＞
種と、前記種以外の他の情報とが関連付けられたデータベースから得られる、前記他の情報を尺度とする前記種どうしの関係を表す、ノードとリンクで構成される関係グラフを、端末に表示させるグラフ表示制御部
として、コンピュータを機能させるためのプログラム。
＜Ｂ２２＞
種と、前記種以外の他の情報とが関連付けられたデータベースから得られる、前記他の情報を尺度とする前記種どうしの関係を表す、ノードとリンクで構成される関係グラフを取得する取得部と、
前記関係グラフを表示させる表示制御部と
を含む情報処理装置。
＜Ｂ２３＞
前記関係グラフは、前記データベースから求められる、前記種と前記他の情報とのバイパータイトグラフを用いて生成される
＜Ｂ２２＞に記載の情報処理装置。
＜Ｂ２４＞
前記関係グラフは、前記種と、前記種に関連付けられた前記他の情報との関係をも表す
＜Ｂ２３＞に記載の情報処理装置。
＜Ｂ２５＞
ユーザの操作に応じて、複数のデータベースの中から、前記関係グラフの生成に用いられるデータベースが選択される
＜Ｂ２２＞ないし＜Ｂ２４＞のいずれかに記載の情報処理装置。
＜Ｂ２６＞
前記関係グラフの生成に用いられるデータベースに応じて、前記関係グラフの背景色、前記ノードの形状、及び、前記ノードの色のうちの１以上が変更される
＜Ｂ２５＞に記載の情報処理装置。
＜Ｂ２７＞
前記関係グラフの生成に用いられるデータベースに応じて、異なる音を出力させる
＜Ｂ２５＞又は＜Ｂ２６＞に記載の情報処理装置。
＜Ｂ２８＞
前記データベースは、植生と前記植生以外の他の情報とが関連付けられたデータベースである
＜Ｂ２２＞ないし＜Ｂ２７＞のいずれかに記載の情報処理装置。
＜Ｂ２９＞
前記データベースは、前記植生と前記植生が観測された圃場とが関連付けられたデータベース、又は、前記植生と前記植生を用いる料理レシピとが関連付けられたデータベースである
＜Ｂ２８＞に記載の情報処理装置。
＜Ｂ３０＞
前記データベースは、センサによるセンシングで得られるセンサデータを用いたボロノイ分割により得られるデータベースである
＜Ｂ２２＞ないし＜Ｂ２７＞のいずれかに記載の情報処理装置。
＜Ｂ３１＞
前記関係グラフは、
前記種と第１の他の情報とが関連付けられた第１のデータベースと、前記種と第２の他の情報とが関連付けられた第２のデータベースとから得られる、前記第１の他の情報及び前記第２の他の情報を尺度とする前記種どうしの関係と、
前記第１のデータベースにおいて関連付けられた前記種と前記第１の他の情報との関係と、
前記第２のデータベースにおいて関連付けられた前記種と前記第２の他の情報との関係と
を表す
＜Ｂ２２＞ないし＜Ｂ２５＞のいずれかに記載の情報処理装置。
＜Ｂ３２＞
ユーザに関するユーザプロファイルに基づいて、前記関係グラフが変更される
＜Ｂ２２＞ないし＜Ｂ３１＞のいずれかに記載の情報処理装置。
＜Ｂ３３＞
ユーザが種に携わっている経験年数に基づいて、前記関係グラフが変更される
＜Ｂ３２＞に記載の情報処理装置。
＜Ｂ３４＞
前記種に関するコンテンツプロファイルに基づいて、前記関係グラフが変更される
＜Ｂ２２＞ないし＜Ｂ３３＞のいずれかに記載の情報処理装置。
＜Ｂ３５＞
前記種の知名度又は希少性に基づいて、前記関係グラフが変更される
＜Ｂ３４＞に記載の情報処理装置。
＜Ｂ３６＞
ユーザに関するユーザプロファイルに基づいて、前記種どうしの関係が補正される
＜Ｂ２２＞ないし＜Ｂ３１＞のいずれかに記載の情報処理装置。
＜Ｂ３７＞
ユーザが種に携わっている経験年数に基づいて、前記種どうしの関係が補正される
＜Ｂ３６＞に記載の情報処理装置。
＜Ｂ３８＞
前記種に関するコンテンツプロファイルに基づいて、前記種どうしの関係が補正される
＜Ｂ２２＞ないし＜Ｂ３１＞、＜Ｂ３６＞、及び、＜Ｂ３７＞のいずれかに記載の情報処理装置。
＜Ｂ３９＞
前記種の知名度又は希少性に基づいて、前記種どうしの関係が補正される
＜Ｂ３８＞に記載の情報処理装置。
＜Ｂ４０＞
前記取得部は、注目している前記種である注目種と他の種との関係に基づいて、前記他の種をランキング付けしたランキングリストを、さらに取得し
前記表示制御部は、前記ランキングリストを、さらに表示させる
＜Ｂ２２＞ないし＜Ｂ３９＞のいずれかに記載の情報処理装置。
＜Ｂ４１＞
種と、前記種以外の他の情報とが関連付けられたデータベースから得られる、前記他の情報を尺度とする前記種どうしの関係を表す、ノードとリンクで構成される関係グラフを取得することと、
前記関係グラフを表示させることと
を含む情報処理方法。
＜Ｂ４２＞
種と、前記種以外の他の情報とが関連付けられたデータベースから得られる、前記他の情報を尺度とする前記種どうしの関係を表す、ノードとリンクで構成される関係グラフを取得する取得部と、
前記関係グラフを表示させる表示制御部と
して、コンピュータを機能させるためのプログラム。
【符号の説明】
【０６１９】
１０  ネットワーク，  １１  センサ装置，  １２  端末，  １３  サーバ，  ２１  無線中継装置，  ２２  無線LAN，  ２３  携帯電話網，  ２４  インターネット，  ３１  CPU，  ３２  メモリ，  ３３  ストレージ，  ３４  操作部，  ３５  操作部，  ３６  スピーカ，  ３７  カメラ，  ３８  マイク，  ３９  位置検出部，  ４０  通信部，  ４１  外部I/F，  ４２  ドライブ，  ４２Ａ  リムーバブルメディア，  ４３  センサ，  ５１  取得部，  ５２  表示制御部，  ６１  CPU，  ６２  メモリ，  ６３  ストレージ，  ６４  操作部，  ６５  表示部，  ６６  スピーカ，  ６７  通信部，  ６８  外部I/F，  ６９  ドライブ，  ６９Ａ  リムーバブルメディア，  ７１  協生農法CMS，  ７２  グラフ表示制御部，  ７３  評価部，  ７４  信頼度算出部，  ７５  アドバイス生成部，  ７６  関連付け部，  ７７  解析部，  ７８  植生分布表示制御部，  １０１ないし１０４  白菜，  １０５  ニラ，  １０６  ダイコン，  １０７  カリフラワー，  １０８  コマツナ，  １０９  ゴボウ，  １１０  ヨモギ群生地帯，  １２１  フラグ，  １２２ないし１３３  アイコン，  ２０１  グラフ表示領域，  ２０２  リスト表示領域，  ２１１  俯瞰表示領域，  ２１２  表示枠
【図１】
2016039174.tif 000003
【図２】
2016039174.tif 000004
【図３】
2016039174.tif 000005
【図４】
2016039174.tif 000006
【図５】
2016039174.tif 000007
【図６】
2016039174.tif 000008
【図７】
2016039174.tif 000009
【図８】
2016039174.tif 000010
【図９】
2016039174.tif 000011
【図１０】
2016039174.tif 000012
【図１１】
2016039174.tif 000013
【図１２】
2016039174.tif 000014
【図１３】
2016039174.tif 000015
【図１４】
2016039174.tif 000016
【図１５】
2016039174.tif 000017
【図１６】
2016039174.tif 000018
【図１７】
2016039174.tif 000019
【図１８】
2016039174.tif 000020
【図１９】
2016039174.tif 000021
【図２０】
2016039174.tif 000022
【図２１】
2016039174.tif 000023
【図２２】
2016039174.tif 000024
【図２３】
2016039174.tif 000025
【図２４】
2016039174.tif 000026
【図２５】
2016039174.tif 000027
【図２６】
2016039174.tif 000028
【図２７】
2016039174.tif 000029
【図２８】
2016039174.tif 000030
【図２９】
2016039174.tif 000031
【図３０】
2016039174.tif 000032
【図３１】
2016039174.tif 000033
【図３２】
2016039174.tif 000034
【図３３】
2016039174.tif 000035
【図３４】
2016039174.tif 000036
【図３５】
2016039174.tif 000037
【図３６】
2016039174.tif 000038
【図３７】
2016039174.tif 000039
【図３８】
2016039174.tif 000040
【図３９】
2016039174.tif 000041
【図４０】
2016039174.tif 000042
【図４１】
2016039174.tif 000043
【図４２】
2016039174.tif 000044
【図４３】
2016039174.tif 000045
【図４４】
2016039174.tif 000046
【図４５】
2016039174.tif 000047
【図４６】
2016039174.tif 000048
【図４７】
2016039174.tif 000049
【図４８】
2016039174.tif 000050
【図４９】
2016039174.tif 000051
【図５０】
2016039174.tif 000052
【図５１】
2016039174.tif 000053
【図５２】
2016039174.tif 000054
【図５３】
2016039174.tif 000055
【図５４】
2016039174.tif 000056
【図５５】
2016039174.tif 000057
【図５６】
2016039174.tif 000058
【図５７】
2016039174.tif 000059
【図５８】
2016039174.tif 000060
【図５９】
2016039174.tif 000061
【図６０】
2016039174.tif 000062
【図６１】
2016039174.tif 000063
【国際調査報告】
2016039174.tif 000064
2016039174.tif 000065
2016039174.tif 000066
2016039174.tif 000067